(57)【要約】【課題】調光機能と開閉機能を備えた調光装置及びその製造方法を提供する。【解決手段】調光装置は、第１空間と、前記第１空間に隣り合う第２空間とを仕切る、開閉可能な閉鎖部材を備える。前記閉鎖部材は、第１調光フィルムを有する第１調光部と、前記第１調光フィルムに少なくとも部分的に対面するように構成された第２調光フィルムを有する第２調光部とを備える。【選択図】図１０Ｂ
2018185497.tif 000002
【特許請求の範囲】
【請求項１】
第１空間と、前記第１空間に隣り合う第２空間とを仕切る、開閉可能な閉鎖部材を備え、
前記閉鎖部材は、第１調光フィルムを有する第１調光部と、前記第１調光フィルムに少なくとも部分的に対面するように構成された第２調光フィルムを有する第２調光部と、を備え、
前記第１調光フィルムと前記第２調光フィルムの対面する領域を変化させることにより、前記閉鎖部材を透過する光の透過率を可変とする、調光装置。
【請求項２】
第１空間と、前記第１空間に隣り合う第２空間とを仕切る、開閉可能な第１閉鎖部材及び第２閉鎖部材を備え、
前記第１閉鎖部材は、第１調光フィルムを有する第１調光部を備え、
前記第２閉鎖部材は、前記第１調光フィルムに少なくとも部分的に対面するように構成された第２調光フィルムを有する第２調光部を備え、
前記第１調光フィルムと前記第２調光フィルムの対面する領域を変化させることにより、前記第１閉鎖部材及び前記第２閉鎖部材を透過する光の透過率を可変とする、調光装置。
【請求項３】
第１空間と、前記第１空間に隣り合う第２空間とを仕切る、開閉可能な第１閉鎖部材及び第２閉鎖部材を備え、
前記第２閉鎖部材は、第１調光フィルムを有する第１調光部と、前記第１調光フィルムに少なくとも部分的に対面するように構成された第２調光フィルムを有する第２調光部と、を備え、
前記第１調光フィルムと前記第２調光フィルムの対面する領域を変化させることにより、前記第１閉鎖部材及び前記第２閉鎖部材を透過する光の透過率を可変とする、調光装置。
【請求項４】
前記第１調光部は、前記第２調光部を支持する支持部材を有し、
前記第２調光部は、前記第１調光部と前記支持部材で囲まれた領域内で移動可能に構成されている、請求項１に記載の調光装置。
【請求項５】
前記第１調光部は第１曲率半径を有し、前記第２調光部は第２曲率半径を有し、
前記第１調光部の曲率の向きと前記第２調光部の曲率の向きが同じである、請求項１〜４のいずれか一項に記載の調光装置。
【請求項６】
前記第１調光部は仮想同心円の外側に位置し、前記第２調光部は仮想同心円の内側に位置しており、
前記第１調光フィルムは、面内の所定の方向に沿って光学特性が変化する複数の第１調光領域を含み、
前記第２調光フィルムは、面内の所定の方向に沿って光学特性が変化する複数の第２調光領域を含み、
前記第１調光領域の幅は、前記第２調光領域の幅よりも大きい、請求項５に記載の調光装置。
【請求項７】
前記第１調光部と前記第２調光部との間の相対移動を規制する規制手段を備える、請求項１〜６のいずれか一項に記載の調光装置。
【請求項８】
前記規制手段は、前記第１調光部に配置された第１磁石と、前記第１磁石と対面するように前記第２調光部に配置された第２磁石とから構成される、請求項７に記載の調光装置。
【請求項９】
前記規制手段は、前記第２調光部に配置された第１摩擦部材と、前記第１摩擦部材と対面する位置に配置された第２摩擦部材とから構成される、請求項７に記載の調光装置。
【請求項１０】
前記規制手段は、前記第２調光部に設けられた突起部と、前記突起部と対面する位置に設けられた凹部とから構成される、請求項７に記載の調光装置。
【請求項１１】
前記第１調光部は、
第１外側透明基板と、
前記第１外側透明基板よりも前記第２調光部に近い側に位置する第１内側透明基板と、
前記第１内側透明基板と前記第１外側透明基板との間に配置された第１中間膜と、
をさらに有する、請求項１〜１０のいずれか一項に記載の調光装置。
【請求項１２】
前記第１外側透明基板の厚さは、前記第１内側透明基板の厚さよりも大きい、請求項１１に記載の調光装置。
【請求項１３】
前記第１中間膜は、
前記第１内側透明基板と前記第１調光フィルムとの間に配置される第１内側中間膜と、
前記第１外側透明基板と前記第１調光フィルムとの間に配置される第１外側中間膜と、
を有する、請求項１１又は１２に記載の調光装置。
【請求項１４】
前記第２調光部は、
第２外側透明基板と、
前記第２外側透明基板よりも前記第１調光部に近い側に位置する第２内側透明基板と、
前記第２内側透明基板と前記第２外側透明基板との間に配置された第２中間膜と、
をさらに有する、請求項１〜１３のいずれか一項に記載の調光装置。
【請求項１５】
前記第２外側透明基板の厚さは、前記第２内側透明基板の厚さよりも大きい、請求項１４に記載の調光装置。
【請求項１６】
前記第２中間膜は、
前記第２内側透明基板と前記第２調光フィルムとの間に配置される第２内側中間膜と、
前記第２外側透明基板と前記第２調光フィルムとの間に配置される第２外側中間膜と、
を有する、請求項１４又は１５に記載の調光装置。
【請求項１７】
前記閉鎖部材は第１方向に沿ってスライドするように構成され、
前記第２調光部は第２方向に沿ってスライドするように構成され、
前記第１方向と前記第２方向とは平行である、請求項１〜３のいずれか一項に記載の調光装置。
【請求項１８】
前記閉鎖部材は第１方向に沿ってスライドするように構成され、
前記第２調光部は第２方向に沿ってスライドするように構成され、
前記第１方向と前記第２方向とは非平行である、請求項１〜３のいずれか一項に記載の調光装置。
【請求項１９】
第１空間及び前記第１空間に隣り合う第２空間の間にある開口部に配置される調光装置を製造する方法であって、
前記開口部に配置された窓部に、面内の所定の方向に沿って光学特性が変化する複数の第１調光領域を含む第１調光フィルムを接着することにより、第１調光部を提供する工程と、
前記第１調光部に支持部材を取り付ける工程と、
前記第１調光部に少なくとも部分的に対面するように構成され、面内の所定の方向に沿って光学特性が変化する複数の第２調光領域を含む第２調光フィルムを有する第２調光部を、前記第１調光部と前記支持部材とで囲まれた領域に配置する工程と、
を備える方法。
【請求項２０】
前記窓部が、合わせガラス構造を有し、
前記第１調光部を提供する工程は、片面に接着層を備える前記第１調光フィルムを前記窓部に対して接着することを含む、請求項１９に記載の方法。
【請求項２１】
前記窓部が、第１透明基板から構成されており、
前記第１調光部を提供する工程は、両面に第１中間膜及び第２中間膜を備える前記第１調光フィルムを前記第１透明基板と第２透明基板で挟み、前記第１調光フィルム及び前記第２透明基板を前記窓部に対して接着することを含む、請求項１９に記載の方法。
【請求項２２】
第１空間及び前記第１空間に隣り合う第２空間の間にある開口部に配置される調光装置を製造する方法であって、
前記開口部に配置された第１窓部に、面内の所定の方向に沿って光学特性が変化する複数の第１調光領域を含む第１調光フィルムを接着することにより、第１調光部を提供する工程と、
前記開口部に配置された第２窓部に、面内の所定の方向に沿って光学特性が変化する複数の第２調光領域を含む第２調光フィルムを接着することにより、第２調光部を提供する工程と、
を備える方法。
【請求項２３】
前記第１窓部が、合わせガラス構造を有し、
前記第１調光部を提供する工程は、片面に接着層を備える前記第１調光フィルムを前記第１窓部に対して接着することを含む、請求項２２に記載の方法。
【請求項２４】
前記第１窓部が、第１透明基板から構成されており、
前記第１調光部を提供する工程は、両面に第１中間膜及び第２中間膜を備える前記第１調光フィルムを前記第１透明基板と第２透明基板で挟み、前記第１調光フィルム及び前記第２透明基板を前記第１窓部に対して接着することを含む、請求項２２に記載の方法。
【請求項２５】
第１空間及び前記第１空間に隣り合う第２空間の間にある開口部に配置される調光装置を製造する方法であって、
前記開口部に配置された第１窓部に隣接して案内レールを設置する工程と、
第１調光フィルムを有する第１調光部と第２調光フィルムを有する第２調光部とを備える閉鎖部材を前記案内レールに設置する工程と、
を備える方法。
【発明の詳細な説明】
【技術分野】
【０００１】
本開示は、調光装置及びその製造方法に関する。
【背景技術】
【０００２】
第１光制御板に第２光制御板を対面させ、第２光制御板を第１光制御基板に対してスライドさせることで、光の透過率を制御する調光装置が知られている。
【先行技術文献】
【特許文献】
【０００３】
【特許文献１】特表２０１４−５０７６７６号公報
【発明の概要】
【発明が解決しようとする課題】
【０００４】
例えば調光装置を窓として適用したとき、第１光制御板及び第２光制御板が開閉できない窓を構成する場合（いわゆる「はめ殺し窓」である場合）、窓を通じて室内と室外とを通気することが難しい。
【０００５】
本開示は、調光機能と開閉機能を備えた調光装置及びその製造方法を提供する。
【課題を解決するための手段】
【０００６】
本願は上記課題を解決する手段を複数含んでいるが、その一例をあげるならば、第１空間と、前記第１空間に隣り合う第２空間とを仕切る、開閉可能な閉鎖部材を備え、前記閉鎖部材は、第１調光フィルムを有する第１調光部と、前記第１調光フィルムに少なくとも部分的に対面するように構成された第２調光フィルムを有する第２調光部と、を備え、前記第１調光フィルムと前記第２調光フィルムの対面する領域を変化させることにより、前記閉鎖部材を透過する光の透過率を可変とする、調光装置が提供される。
【０００７】
他の例によれば、第１空間と、前記第１空間に隣り合う第２空間とを仕切る、開閉可能な第１閉鎖部材及び第２閉鎖部材を備え、前記第１閉鎖部材は、第１調光フィルムを有する第１調光部を備え、前記第２閉鎖部材は、前記第１調光フィルムに少なくとも部分的に対面するように構成された第２調光フィルムを有する第２調光部を備え、前記第１調光フィルムと前記第２調光フィルムの対面する領域を変化させることにより、前記第１閉鎖部材及び前記第２閉鎖部材を透過する光の透過率を可変とする、調光装置が提供される。
【０００８】
他の例によれば、第１空間と、前記第１空間に隣り合う第２空間とを仕切る、開閉可能な第１閉鎖部材及び第２閉鎖部材を備え、前記第２閉鎖部材は、第１調光フィルムを有する第１調光部と、前記第１調光フィルムに少なくとも部分的に対面するように構成された第２調光フィルムを有する第２調光部と、を備え、前記第１調光フィルムと前記第２調光フィルムの対面する領域を変化させることにより、前記第１閉鎖部材及び前記第２閉鎖部材を透過する光の透過率を可変とする、調光装置が提供される。
【０００９】
他の例によれば、第１空間及び前記第１空間に隣り合う第２空間の間にある開口部に配置される調光装置を製造する方法であって、前記開口部に配置された窓部に、面内の所定の方向に沿って光学特性が変化する複数の第１調光領域を含む第１調光フィルムを接着することにより、第１調光部を提供する工程と、前記第１調光部に支持部材を取り付ける工程と、前記第１調光部に少なくとも部分的に対面するように構成され、面内の所定の方向に沿って光学特性が変化する複数の第２調光領域を含む第２調光フィルムを有する第２調光部を、前記第１調光部と前記支持部材とで囲まれた領域に配置する工程と、を備える方法が提供される。
【００１０】
他の例によれば、第１空間及び前記第１空間に隣り合う第２空間の間にある開口部に配置される調光装置を製造する方法であって、前記開口部に配置された第１窓部に、面内の所定の方向に沿って光学特性が変化する複数の第１調光領域を含む第１調光フィルムを接着することにより、第１調光部を提供する工程と、前記開口部に配置された第２窓部に、面内の所定の方向に沿って光学特性が変化する複数の第２調光領域を含む第２調光フィルムを接着することにより、第２調光部を提供する工程と、を備える方法が提供される。
【００１１】
他の例によれば、第１空間及び前記第１空間に隣り合う第２空間の間にある開口部に配置される調光装置を製造する方法であって、前記開口部に配置された第１窓部に隣接して案内レールを設置する工程と、第１調光フィルムを有する第１調光部と第２調光フィルムを有する第２調光部とを備える閉鎖部材を前記案内レールに設置する工程と、を備える方法が提供される。
【発明の効果】
【００１２】
本開示によれば、調光機能と開閉機能を備えた調光装置を提供することができる。本開示に関連する更なる特徴は、本明細書の記述、添付図面から明らかになるものである。また、上記した以外の、課題、構成および効果は、以下の実施形態の説明により明らかにされる。
【図面の簡単な説明】
【００１３】
【図１Ａ】本開示の一実施形態に係る建具を示す概略平面図である。
【図１Ｂ】図１ＡのＩ−Ｉ断面図である。
【図２Ａ】本開示の一実施形態に係る建具を示す概略平面図である。
【図２Ｂ】図２ＡのＩ−Ｉ断面図である。
【図３】本開示の一実施形態に係る閉鎖部材の概略断面図である。
【図４】図３の詳細断面図である。
【図５】本開示の一実施形態に係る第１位相差層を示す平面図である。
【図６】本開示一実施形態における第１調光部と第２調光部との重なり状態に応じて光の透過率が変化する機能を説明するための断面図である。
【図７】本開示一実施形態における第１調光部と第２調光部との重なり状態に応じて光の透過率が変化する機能を説明するための断面図である。
【図８】本開示の一実施形態に係る第１調光フィルムの一例を示す概略断面図である。
【図９】本開示の一実施形態に係る第１調光フィルムの一例を示す概略断面図である。
【図１０Ａ】本開示の一実施形態に係る閉鎖部材の概略平面図である。
【図１０Ｂ】図１０ＡのＩ−Ｉ線断面図である。
【図１１Ａ】本開示の一実施形態に係る閉鎖部材の概略平面図である。
【図１１Ｂ】図１１ＡのＩ−Ｉ線断面図である。
【図１２】本開示の一実施形態に係る閉鎖部材の概略断面図である。
【図１３】本開示の一実施形態に係る閉鎖部材の概略断面図である。
【図１４】本開示の一実施形態に係る閉鎖部材の概略平面図である。
【図１５Ａ】本開示の一実施形態に係る閉鎖部材の概略平面図である。
【図１５Ｂ】図１５ＡのＩ−Ｉ線断面図である。
【図１５Ｃ】本開示の一実施形態に係る閉鎖部材の概略断面図である。
【図１６Ａ】本開示の一実施形態に係る閉鎖部材の概略断面図である。
【図１６Ｂ】本開示の一実施形態に係る閉鎖部材の概略平面図である。
【図１６Ｃ】本開示の一実施形態に係る閉鎖部材の概略平面図である。
【図１７Ａ】本開示の一実施形態に係る閉鎖部材の概略断面図である。
【図１７Ｂ】本開示の一実施形態に係る閉鎖部材の概略平面図である。
【図１７Ｃ】本開示の一実施形態に係る閉鎖部材の概略平面図である。
【図１８Ａ】本開示の一実施形態に係る閉鎖部材の概略断面図である。
【図１８Ｂ】本開示の一実施形態に係る閉鎖部材の概略断面図である。
【図１８Ｃ】本開示の一実施形態に係る閉鎖部材の概略断面図である。
【図１８Ｄ】本開示の一実施形態に係る閉鎖部材の概略断面図である。
【図１８Ｅ】本開示の一実施形態に係る閉鎖部材の概略断面図である。
【図１８Ｆ】本開示の一実施形態に係る閉鎖部材の概略断面図である。
【図１９】本開示の一実施形態に係る閉鎖部材の概略断面図である。
【図２０】本開示の一実施形態に係る閉鎖部材の概略断面図である。
【図２１Ａ】本開示の一実施形態に係る閉鎖部材の概略断面図である。
【図２１Ｂ】本開示の一実施形態に係る閉鎖部材の概略断面図である。
【図２１Ｃ】本開示の一実施形態に係る閉鎖部材の概略断面図である。
【図２１Ｄ】本開示の一実施形態に係る閉鎖部材の概略断面図である。
【図２１Ｅ】本開示の一実施形態に係る閉鎖部材の概略断面図である。
【図２１Ｆ】本開示の一実施形態に係る閉鎖部材の概略断面図である。
【図２２】本開示の一実施形態に係る閉鎖部材を製造する方法を説明する図である。
【図２３】本開示の一実施形態に係る閉鎖部材を製造する方法を説明する図である。
【図２４】本開示の一実施形態に係る閉鎖部材を製造する方法を説明する図である。
【図２５Ａ】本開示の一実施形態に係る建具を示す概略斜視図である。
【図２５Ｂ】本開示の一実施形態に係る建具を示す概略斜視図である。
【図２６Ａ】本開示の一実施形態に係る建具を示す概略平面図である。
【図２６Ｂ】図２６ＡのＩ−Ｉ断面図である。
【図２７Ａ】本開示の一実施形態に係る建具を示す概略平面図である。
【図２７Ｂ】図２７ＡのＩ−Ｉ断面図である。
【図２８】本開示の一実施形態に係る建具を示す概略断面図である。
【図２９】本開示の一実施形態に係る建具を示す概略断面図である。
【図３０】本開示の一実施形態に係る建具を示す概略平面図である。
【図３１】本開示の一実施形態に係る建具を示す概略断面図である。
【図３２Ａ】本開示の一実施形態に係る第１閉鎖部材と第２閉鎖部材の概略断面図である。
【図３２Ｂ】本開示の一実施形態に係る第１閉鎖部材と第２閉鎖部材の概略断面図である。
【図３２Ｃ】本開示の一実施形態に係る第１閉鎖部材と第２閉鎖部材の概略断面図である。
【図３２Ｄ】本開示の一実施形態に係る第１閉鎖部材と第２閉鎖部材の概略断面図である。
【図３２Ｅ】本開示の一実施形態に係る第１閉鎖部材と第２閉鎖部材の概略断面図である。
【図３２Ｆ】本開示の一実施形態に係る第１閉鎖部材と第２閉鎖部材の概略断面図である。
【図３２Ｇ】本開示の一実施形態に係る第１閉鎖部材と第２閉鎖部材の概略断面図である。
【図３３Ａ】本開示の一実施形態に係る第１閉鎖部材と第２閉鎖部材の概略断面図である。
【図３３Ｂ】本開示の一実施形態に係る第１閉鎖部材と第２閉鎖部材の概略断面図である。
【図３３Ｃ】本開示の一実施形態に係る第１閉鎖部材と第２閉鎖部材の概略断面図である。
【図３３Ｄ】本開示の一実施形態に係る第１閉鎖部材と第２閉鎖部材の概略断面図である。
【図３３Ｅ】本開示の一実施形態に係る第１閉鎖部材と第２閉鎖部材の概略断面図である。
【図３３Ｆ】本開示の一実施形態に係る第１閉鎖部材と第２閉鎖部材の概略断面図である。
【図３３Ｇ】本開示の一実施形態に係る第１閉鎖部材と第２閉鎖部材の概略断面図である。
【図３４】本開示の一実施形態に係る第１閉鎖部材と第２閉鎖部材を製造する方法を説明する図である。
【図３５】本開示の一実施形態に係る第１閉鎖部材と第２閉鎖部材を製造する方法を説明する図である。
【図３６】本開示の一実施形態に係る第１閉鎖部材と第２閉鎖部材を製造する方法を説明する図である。
【図３７Ａ】本開示の一実施形態に係る建具を示す概略平面図である。
【図３７Ｂ】図３７ＡのＩ−Ｉ断面図である。
【図３８Ａ】本開示の一実施形態に係る建具を示す概略平面図である。
【図３８Ｂ】図３８ＡのＩ−Ｉ断面図である。
【図３９Ａ】本開示の一実施形態に係る第１閉鎖部材と第２閉鎖部材の概略断面図である。
【図３９Ｂ】本開示の一実施形態に係る第１閉鎖部材と第２閉鎖部材の概略断面図である。
【図３９Ｃ】本開示の一実施形態に係る第１閉鎖部材と第２閉鎖部材の概略断面図である。
【図３９Ｄ】本開示の一実施形態に係る第１閉鎖部材と第２閉鎖部材の概略断面図である。
【図３９Ｅ】本開示の一実施形態に係る第１閉鎖部材と第２閉鎖部材の概略断面図である。
【図３９Ｆ】本開示の一実施形態に係る第１閉鎖部材と第２閉鎖部材の概略断面図である。
【図３９Ｇ】本開示の一実施形態に係る第１閉鎖部材と第２閉鎖部材の概略断面図である。
【図４０Ａ】本開示の一実施形態に係る第１閉鎖部材と第２閉鎖部材の概略断面図である。
【図４０Ｂ】本開示の一実施形態に係る第１閉鎖部材と第２閉鎖部材の概略断面図である。
【図４０Ｃ】本開示の一実施形態に係る第１閉鎖部材と第２閉鎖部材の概略断面図である。
【図４０Ｄ】本開示の一実施形態に係る第１閉鎖部材と第２閉鎖部材の概略断面図である。
【図４０Ｅ】本開示の一実施形態に係る第１閉鎖部材と第２閉鎖部材の概略断面図である。
【図４０Ｆ】本開示の一実施形態に係る第１閉鎖部材と第２閉鎖部材の概略断面図である。
【図４０Ｇ】本開示の一実施形態に係る第１閉鎖部材と第２閉鎖部材の概略断面図である。
【図４１】本開示の一実施形態に係る第１閉鎖部材と第２閉鎖部材を製造する方法を説明する図である。
【図４２Ａ】本開示の一実施形態に係る第２調光部の取っ手構造を示す概略平面図である。
【図４２Ｂ】図４２ＡのＩ−Ｉ線断面図である。
【図４３Ａ】本開示の一実施形態に係る第２調光部の取っ手構造を示す概略平面図である。
【図４３Ｂ】図４３ＡのＩ−Ｉ線断面図である。
【図４４Ａ】本開示の一実施形態に係る第２調光部の取っ手構造を示す概略平面図である。
【図４４Ｂ】図４４ＡのＩ−Ｉ線断面図である。
【図４５Ａ】図４４Ａ及び図４４Ｂの取っ手構造を備える調光装置を収容領域に移動させたときの様子を示す図である。
【図４５Ｂ】図４４Ａ及び図４４Ｂの取っ手構造を備える調光装置を収容領域に移動させたときの様子を示す図である。
【図４６Ａ】本開示の一実施形態に係る第２調光部の取っ手構造を示す概略平面図である。
【図４６Ｂ】図４６ＡのＩ−Ｉ線断面図である。
【図４７Ａ】図４６Ａ及び図４６Ｂの取っ手構造を備える調光装置を収容領域に移動させたときの様子を示す図である。
【図４７Ｂ】図４６Ａ及び図４６Ｂの取っ手構造を備える調光装置を収容領域に移動させたときの様子を示す図である。
【発明を実施するための形態】
【００１４】
以下、図面を参照して本開示の一実施形態について説明する。なお、本件明細書に添付する図面においては、図示と理解のしやすさの便宜上、適宜縮尺および縦横の寸法比等を、実物のそれらから変更し誇張してある。また、同一の構成要素については同一の符号を付し、繰り返しの説明を省略する場合がある。
【００１５】
本明細書において用いる、形状や幾何学的条件並びにそれらの程度を特定する、例えば、「平行」、「直交」、「垂直」、「同一」等の用語や長さや角度の値等については、厳密な意味に縛られることなく、同様の機能を期待し得る程度の範囲を含めて解釈されるべきである。
【００１６】
本明細書等において「〜」を用いて表される数値範囲は、「〜」の前後に記載される数値のそれぞれを下限値及び上限値として含む範囲であることを意味する。
【００１７】
［第１実施形態］
図１Ａは、本開示の一実施形態に係る建具を示す概略平面図であり、図１Ｂは、図１ＡのＩ−Ｉ断面図である。建具は、第１空間Ａ１及び第１空間Ａ１に隣り合う第２空間Ａ２の間に壁部２を備える。ここでは、第１空間Ａ１は、例えば住宅又は施設の外側の空間であり、第２空間Ａ２は、例えば住宅又は施設の内側の空間である。なお、壁部２は、施設内の部屋同士の間の壁や、通路と部屋との間の壁等でもよい。
【００１８】
壁部２は、開口部３を有する。開口部３には、調光装置１が配置されている。調光装置１は、第１空間Ａ１と第２空間Ａ２とを仕切る開閉可能な閉鎖部材４を備える。閉鎖部材４は、例えば、窓、戸、扉、パーテションなどである。また、壁部２は、閉鎖部材４を収容することが可能な収容領域５（例えば、戸袋）を有する。
【００１９】
閉鎖部材４は、閉状態と開状態を有する。図１Ａ及び図１Ｂは、閉鎖部材４の閉状態を示す。ここで、閉状態とは、閉鎖部材４の第１端部４ａと壁部２の第１開口側側面２ａとが最近接している状態（最近接状態）をいう。閉鎖部材４を第１方向Ｘに沿って収容領域５から開口部３に向かって移動させることにより閉状態にすることができる。
【００２０】
図２Ａ及び図２Ｂは、閉鎖部材４の開状態を示す。ここで、開状態とは、閉鎖部材４の第１端部４ａと壁部２の第１開口側側面２ａとが最近接状態から離れた状態をいう。閉鎖部材４を第１方向Ｘに沿って開口部３から収容領域５に移動させることにより開状態にすることができる。本実施形態によれば、閉鎖部材４に調光機能を提供することで、調光機能と開閉機能の両方を備えた閉鎖部材４を提供することができる。
【００２１】
閉鎖部材４の移動手段として、手動及び／又は電動の移動手段が採用されてよい。例えば、開口部３にレールが配置され、閉鎖部材４がレールに沿って手動及び／又は電動でスライド移動できるように構成されてもよい。また、閉鎖部材４にベルト、チェーン、ワイヤー等によって駆動するスライドベースが接続され、ベルト等を駆動することによりスライド移動できるように構成されてもよい。また、閉鎖部材４が戸車を有し、戸車がレールに沿ってスライドするように構成されてもよい。
【００２２】
なお、図面では、閉鎖部材４の移動方向である第１方向Ｘは水平方向で示されているが、第１方向Ｘを天地方向と理解してもよい。閉鎖部材４は、水平方向、天地方向に限定されず、任意の方向で移動可能に構成されてよい。
【００２３】
図３は、本開示の一実施形態に係る閉鎖部材４の概略断面図である。閉鎖部材４は、第１調光部１０と、第１調光部１０に少なくとも部分的に対面する位置に配置された第２調光部２０とを備える。したがって、本実施形態では、閉鎖部材４の開閉時に第１調光部１０及び第２調光部２０が共に移動する構成となっている。第１調光部１０及び第２調光部２０は、それぞれ、光の偏光状態を変化させることが可能な板状体である。第１調光部１０及び第２調光部２０は、互いの位置を相対的に変化可能に構成されている。例えば、第１調光部１０及び第２調光部２０のうち少なくとも一方の調光部がスライド移動できるように構成されていればよい。
【００２４】
なお、「調光部」は、「調光シート」、「調光フィルム」、「調光板」と呼ばれ得るような部材も含む概念であり、これらは呼称の違いのみにおいて区別され得ない。
【００２５】
第１調光部１０は、第１透明基板１０１と、第１透明基板１０１上に配置された第１調光フィルム１０３とを有する。第２調光部２０は、第２透明基板２０１と、第２透明基板２０１上に配置された第２調光フィルム２０３とを有する。第１調光部１０の第１調光フィルム１０３と第２調光部２０の第２調光フィルム２０３とが対面している。この構成では、第２調光フィルム２０３は、第１調光フィルム１０３と少なくとも部分的に対面するようになっている。
【００２６】
第１透明基板１０１は、第１調光フィルム１０３を支持するための支持体である。第１透明基板１０１の構成材料としては、光透過性を有するものであれば特に限定されない。例えば、第１透明基板１０１の構成材料としては、ガラス等の無機材料、ポリエチレンテレフタレート等のポリエステル系樹脂、アクリル系樹脂、ポリカーボネート樹脂、エポキシ樹脂、シリコン樹脂等の樹脂材料等が挙げられる。なお、第２透明基板２０１は、第１透明基板１０１と同一の構成を採用することが可能である。第１調光フィルム１０３及び第２調光フィルム２０３の構成については後述する。
【００２７】
調光装置１では、第１調光部１０及び第２調光部２０の両方を透過する光の透過率が、第１調光部１０及び第２調光部２０の相対位置に応じて変化する。これにより、調光装置１は、透過光の光量を調整し、光の透過率が低い状態（例えば遮光状態）と光の透過率が高い状態（例えば透過状態）の切替えができるように構成されている。
【００２８】
本実施形態では、第１調光部１０及び第２調光部２０は、互いに平行に配置されている。第１調光部１０及び第２調光部２０は、その法線方向から見て（平面視において）矩形の形状を有している。第１調光部１０及び第２調光部２０は同じ大きさを有している必要はなく、第１調光部１０及び第２調光部２０が少なくとも部分的に重なるような大きさで形成されていればよい。例えば、第１調光部１０及び第２調光部２０の一方が固定され、他方が可動である場合、固定側の調光部が可動側の調光部よりも第１方向Ｘに大きく設定されていてもよい。例えば、固定側の第１調光部１０の第１方向Ｘの長さが、可動側の第２調光部２０に比べて大きく設定されている場合、調光装置１における開口（光が透過し得る領域）を大きくとることができる。
【００２９】
第１調光部１０及び第２調光部２０は、間隔Ｄ１を空けて配置されている。第１調光フィルム１０３は、面内の所定の方向に沿って光学特性が変化する複数の第１調光領域１１を含む。また、第２調光フィルム２０３は、面内の所定の方向に沿って光学特性が変化する複数の第２調光領域２１であって、複数の第１調光領域１１に対応する複数の第２調光領域２１を含む。光学特性が変化するとは、例えば、光学軸（光軸とも呼ばれることがある）、偏光軸、位相差、複屈折率の中の少なくとも１つが変化することをさす。また、本実施形態では、第１調光部１０及び第２調光部２０の光学特性が変化する所定の方向と、第１調光部１０及び第２調光部２０の相対移動の方向である第１方向Ｘが一致している。したがって、以下では、これらの方向を「第１方向Ｘ」と記載する。
【００３０】
なお、図面では、第１調光部１０及び第２調光部２０の相対移動の方向（第１方向Ｘ）と、第１調光部１０及び第２調光部２０の光学特性が変化する方向（所定の方向）とが一致して図示されているが、これに限定されず、互いに交差していてもよい。例えば、第１調光部１０及び第２調光部２０の相対移動の方向と、第１調光部１０及び第２調光部２０の光学特性が変化する方向とのなす角が、５°、１０°、１５°、２０°、２５°、３０°、３５°、４０°、４５°等の値をとってもよい。
【００３１】
図４は、図３の詳細断面図である。第１調光フィルム１０３は、第１偏光層１０５と、第１位相差層１０６とを備える。具体的には、第１調光フィルム１０３は、第１透明基板１０１側から、第１偏光層１０５及び第１位相差層１０６を当該順で含む。
【００３２】
第２調光フィルム２０３は、第２偏光層２０５と、第２位相差層２０６とを備える。具体的には、第２調光フィルム２０３は、第２透明基板２０１側から、第２偏光層２０５及び第２位相差層２０６を当該順で含む。第２調光部２０の第２位相差層２０６が、第１調光部１０の第１位相差層１０６と対面している。
【００３３】
以下では、第１調光フィルム１０３及び第２調光フィルム２０３の構成要素について説明する。
【００３４】
第１偏光層１０５と第２偏光層２０５は、一方の直線偏光成分の光を高い透過率で透過させるとともに、一方の直線偏光成分と直交する方向に振動する他方の直線偏光成分の光を吸収又は反射する機能を有している。本実施形態において、第１偏光層１０５と第２偏光層２０５とは、その透過軸の向きが互いに非平行となっている。第１偏光層１０５と第２偏光層２０５は、それぞれの透過軸が互いに直交するようにして、すなわちクロスニコル状態（直交ニコルとも呼ぶ）で配置されている。第１偏光層１０５と第２偏光層２０５として、ポリビニルアルコールにヨウ素や二色性色素を吸着させてなる偏光層や、ワイヤーグリッド偏光子と呼ばれる偏光層を用いることができる。
【００３５】
第１位相差層１０６及び第２位相差層２０６は、例えばλ／４板で構成され、透過光の偏光状態を制御可能となっている。第１位相差層１０６の第１調光領域１１は、透過光の偏光状態に互いに異なる作用を及ぼす第１領域１２及び第２領域１３を含んでいる。第１位相差層１０６は、第１領域１２と第２領域１３との間で、異なる位相変調を透過光に生じさせる。例えば、第１領域１２の面内遅相軸方向と第２領域１３の面内遅相軸方向とが異なる。具体的には、第１領域１２及び第２領域１３は、共に、リタデーションがλ／４の位相差層から構成されている。第１位相差層１０６は、第１領域１２を透過する光に対して「λ／４」の位相変調を引き起こし、第２領域１３を透過する光に対して「−λ／４」の位相変調を引き起こす。
【００３６】
第２位相差層２０６は、第１位相差層１０６と同様に構成され得る。すなわち、第２位相差層２０６の第２調光領域２１は、透過光の偏光状態に互いに異なる作用を及ぼす第３領域２２及び第４領域２３を含んでいる。第２位相差層２０６は、第３領域２２と第４領域２３との間で、異なる位相変調を透過光に生じさせる。例えば、第３領域２２の面内遅相軸方向と第４領域２３の面内遅相軸方向とが異なる。具体的には、第３領域２２及び第４領域２３は、共に、リタデーションがλ／４の位相差層から構成されている。第２位相差層２０６は、第３領域２２を透過する光に対して「λ／４」の位相変調を引き起こし、第４領域２３を透過する光に対して「−λ／４」の位相変調を引き起こす。
【００３７】
第１位相差層１０６及び第２位相差層２０６は、例えば、光配向法やラビング法により形成された配向層上に液晶層を配向させることにより、作製することができる。第１位相差層１０６及び第２位相差層２０６は、例えば、国際公開第２０１３／０５４６７３号パンフレット、特開２０１２−１３７７２５号公報、または特開２０１２−１９８５２２号公報等に開示された製法を用いて作製され得るため、ここではこれ以上詳細な説明を省略する。
【００３８】
図５は、第１位相差層１０６の一例を示す平面図である。第１位相差層１０６の第１調光領域１１は、第１方向Ｘに沿って交互に配置された第１領域１２及び第２領域１３を含む。本実施形態では、第１領域１２及び第２領域１３は、第１方向Ｘに沿って交互に隙間なく配置され、第１方向Ｘに沿って同一な幅Ｗｑ１を有している。なお、図３〜図５において、第１領域１２及び第２領域１３のそれぞれの幅と、第３領域２２及び第４領域２３のそれぞれの幅とを等しいものとして図示しており、それらの値を幅Ｗｑとしている。したがって、第１領域１２及び第２領域１３は、各領域の幅の二倍「Ｗｑ×２」となる一定ピッチでそれぞれ第１方向Ｘに配列されている。また、各第１領域１２及び各第２領域１３は、第１方向Ｘに直交する第２方向Ｙに直線状に延びている。
【００３９】
図示省略されているが、第２位相差層２０６は、第１位相差層１０６と同様に構成され得る。第２位相差層２０６の第２調光領域２１は、第１方向Ｘに沿って交互に配置された第３領域２２及び第４領域２３を含む。本実施形態では、第３領域２２及び第４領域２３は、第１方向Ｘに沿って交互に隙間なく配置され、第１方向Ｘに沿って同一な幅Ｗｑを有している。したがって、第３領域２２及び第４領域２３は、各領域の幅の二倍「Ｗｑ×２」となる一定ピッチでそれぞれ第１方向Ｘに配列されている。また、各第３領域２２及び各第４領域２３は、第１方向Ｘに直交する第２方向Ｙに直線状に延びている。
【００４０】
第１調光領域１１及び第２調光領域２１の形状としては、特に限定されないが、例えば、短冊形状、三角形、正方形、菱形、六角形等の多角形が挙げられる。また各調光領域の配列のパターンとしては、ストライプ状、千鳥状等が挙げられる。本実施形態においては、第１調光領域１１及び第２調光領域２１が短冊形状であり、ストライプ状のパターンで配列されていることが好ましい。
【００４１】
上述の構成によれば、第１調光部１０を第２調光部２０に対して少なくとも幅Ｗｑだけ相対移動させることにより、光の透過状態と遮光状態とを切替えることができる。透過状態と遮光状態との明瞭な切替えを実現するためには、第１位相差層１０６の各領域１２、１３と第２位相差層２０６の対応する領域２２、２３とが、ずれることなく重なることが望ましい。しかし、実際には、第１位相差層１０６の各領域１２、１３と第２位相差層２０６の対応する領域２２、２３とがわずかにずれる場合もあり得る。ずれが生じた場合、透過状態では境界部にストライプ状に遮光領域が発現し、遮光状態では境界部にストライプ状に透過領域が発現する。このような事情を考慮すると、幅Ｗｑが小さすぎると、ずれが生じた場合に遮光領域に対する透過領域の割合が大きくなってしまうため、外観性が良くない。一方で、幅Ｗｑが大きすぎると、第１調光部１０の移動量が大きくなり、第１調光部１０及び第２調光部２０を支持する支持構造が大きくなるだけでなく、移動中に第１調光部１０が撓むことにより第２調光部２０と接触し、傷が発生する可能性も高くなる。したがって、幅Ｗｑは、好ましくは３ｍｍ以上３０ｍｍ以下、より好ましくは５ｍｍ以上２０ｍｍ以下である。なお、最も好ましい例として、幅Ｗは、１０ｍｍ以上１５ｍｍ以下である。
【００４２】
本実施形態では、第１位相差層１０６の第１領域１２の遅相軸と、第２位相差層２０６の第３領域２２の遅相軸とは平行となっている。また、第１位相差層１０６の第２領域１３の遅相軸と、第２位相差層２０６の第４領域２３の遅相軸とは平行となっている。この場合、図６及び図７を参照して以下に説明するように、透過状態と遮光状態との切替えを効果的に行うことができる。
【００４３】
図６及び図７は、第１調光部１０の第１位相差層１０６と第２調光部２０の第２位相差層２０６との重なり状態に応じて光の透過率が変化する機能を説明するための断面図である。図６では、第１位相差層１０６の第１領域１２と第２位相差層２０６の第３領域２２とが重なり、第１位相差層１０６の第２領域１３と第２位相差層２０６の第４領域２３とが重なっている。この場合、第１偏光層１０５を透過した一方の偏光成分の光は、第１位相差層１０６及び第２位相差層２０６の両方を透過した後に、振動方向を９０°回転させる。したがって、図６に示すように、第１位相差層１０６及び第２位相差層２０６の両方を透過した光は、一方の偏光成分とは振動方向が直交する他方の偏光成分の光となっており、第２偏光層２０５を透過することができる。例えば、図１Ａの右上の図は、図６の透過状態の閉鎖部材４の平面図を表す。
【００４４】
一方、図７では、第１位相差層１０６の第１領域１２と第２位相差層２０６の第４領域２３とが重なり、第１位相差層１０６の第２領域１３と第２位相差層２０６の第３領域２２とが重なっている。この場合、第１偏光層１０５を透過した一方の偏光成分の光は、第１位相差層１０６及び第２位相差層２０６の両方を透過した後に、第１位相差層１０６及び第２位相差層２０６を透過する前の振動方向を維持する。したがって、図７に示すように、第１位相差層１０６及び第２位相差層２０６の両方を透過した光は、一方の偏光成分の光のままであり、第２偏光層２０５で吸収され、第２偏光層２０５を透過することはできない。例えば、図１Ａの右下の図は、図７の遮光状態の閉鎖部材４の平面図を表す。
【００４５】
他の言い方をすれば、第１調光部１０及び第２調光部２０の両方を透過する光のうち、第１調光部１０の第１領域１２と第２調光部２０の第３領域２２とを通る光の透過率は、第１調光部１０の第１領域１２と第２調光部２０の第４領域２３とを透過する光の透過率よりも大きい。同様に、第１調光部１０及び第２調光部２０の両方を透過する光のうち、第１調光部１０の第２領域１３と第２調光部２０の第４領域２３とを通る光の透過率は、第１調光部１０の第２領域１３と第２調光部２０の第３領域２２とを透過する光の透過率よりも大きい。
【００４６】
第１偏光層１０５及び第２偏光層２０５がクロスニコル状態で配置される場合について説明したが、パラレルニコル状態で配置される場合には、第１位相差層１０６の各領域と第２位相差層２０６の各領域の対応関係は上記と逆の関係となる。
【００４７】
調光装置１では、第１調光部１０と第２調光部２０との相対位置に応じて、第１領域１２と第３領域２２及び第４領域２３との重なる範囲が変化すると共に、第２領域１３と第３領域２２及び第４領域２３との重なる範囲が変化する。これにより、調光装置１は、第１調光部１０と第２調光部２０との相対位置に応じて、第１調光部１０及び第２調光部２０の両方を透過する光に対する、遮光する範囲と透過する範囲とを連続的に変化させることが可能となる。言い換えると、第１調光部１０と第２調光部２０との相対位置に応じて、第１調光部１０及び第２調光部２０の両方を透過する光の透過率の分布が変化していくことになる。
【００４８】
図８は、第１調光フィルム１０３の別の例を示す概略断面図である。本例の第１位相差層１０６の第１調光領域１１では、透過光に生じさせる位相変調の変化量が漸次的に変化する。別の言い方をすれば、複数の第１調光領域１１の各々において、面内遅相軸方向が第１方向Ｘに沿って漸次的に変化している。例えば、第１調光領域１１において、面内遅相軸方向が第１方向Ｘに沿って、０°〜１８０°の範囲で漸次変化する。なお、第２調光フィルム２０３も、第１調光フィルム１０３と同一の構成を採用することが可能である。第２位相差層２０６の第２調光領域２１では、透過光に生じさせる位相変調の変化量が漸次的に変化する。別の言い方をすれば、複数の第２調光領域２１の各々において、面内遅相軸方向が第１方向Ｘに沿って漸次的に変化している。第１領域１２及び第２領域１３は、共に、リタデーションがλ／２の位相差層から構成されている。
【００４９】
本例の調光装置１では、第１調光部１０と第２調光部２０との相対位置に応じて、第１調光領域１１と第２調光領域２１との重なる位置が変化する。これにより、調光装置１は、第１調光部１０と第２調光部２０との相対位置に応じて、第１調光部１０及び第２調光部２０の両方を透過する光の透過率を徐々に変化させることが可能となる。本例の調光装置では、第１調光部１０と第２調光部２０との相対位置に応じて、徐々に遮光状態になる（光の透過率が徐々に小さくなる）、又は、徐々に透過状態になる（光の透過率が徐々に大きくなる）。
【００５０】
図９は、第１調光フィルム１０３の別の例を示す概略断面図である。本例の第１調光フィルム１０３は、第１方向Ｘに沿ってパターニングされた第１偏光層１０５を備える。
【００５１】
本例の第１偏光層１０５は、第１方向Ｘに沿って光学特性が変化する複数の第１調光領域１１を備える。第１偏光層１０５の第１調光領域１１は、透過光の偏光状態に互いに異なる作用を及ぼす第１領域１２及び第２領域１３を含んでいる。例えば、第１領域１２及び第２領域１３は、第１方向Ｘに沿って配列しており、互いに透過軸の方向が異なる。例えば、第１領域１２における第１偏光層１０５の透過軸と第２領域１３における第１偏光層１０５の透過軸が互いに直交するように構成されている。
【００５２】
なお、第２調光部２０も、第１調光部１０と同一の構成を採用することが可能である。本例の第２偏光層２０５は、第１方向Ｘに沿って光学特性が変化する複数の第２調光領域を備える。第２偏光層２０５の第２調光領域は、透過光の偏光状態に互いに異なる作用を及ぼす第３領域及び第４領域を含んでいる。例えば、第３領域及び第４領域は、第１方向Ｘに沿って配列しており、互いに透過軸の方向が異なる。例えば、第３領域における第２偏光層２０５の透過軸と第４領域における第２偏光層２０５の透過軸が互いに直交するように構成されている。
【００５３】
なお、第１領域、第２領域、第３領域、及び第４領域の透過軸の方向は、第１方向Ｘと交差してもよい。例えば、第１偏光層１０５の第１領域および第２偏光層２０５の第３領域の透過軸が第１方向Ｘに対し「＋４５°」の角度をなし、かつ、第１偏光層１０５の第２領域および第２偏光層２０５の第４領域の透過軸が第１方向Ｘに対し「−４５°」の角度をなすように、第１調光部１０および第２調光部２０を構成してもよい。このような構成によれば、斜視時における光漏れ等を低減する効果が期待できる。
【００５４】
本例の調光装置１では、第１調光部１０と第２調光部２０との相対位置に応じて、第１偏光層１０５の第１領域１２と第２偏光層２０５の第３領域及び第４領域との重なる範囲が変化すると共に、第１偏光層１０５の第２領域１３と第２偏光層２０５の第３領域及び第４領域との重なる範囲が変化する。これにより、調光装置は、第１調光部１０と第２調光部２０との相対位置に応じて、第１調光部１０及び第２調光部２０の両方を透過する光に対する、遮光する範囲と透過する範囲とを連続的に変化させることが可能となる。
【００５５】
なお、上述した実施形態において、第１偏光層１０５と第１位相差層１０６との間、第１透明基板１０１と第１偏光層１０５との間、及び第１位相差層１０６の表面に、図示しない付加的な層（例えば、保護層、接着層等）を有していてもよい。同様に、第２偏光層２０５と第２位相差層２０６との間、第２透明基板２０１と第２偏光層２０５との間、及び第２位相差層２０６の表面に、図示しない付加的な層（例えば、保護層、接着層等）を有していてもよい。保護層としては、例えば、ハードコートフィルム等を用いることができる。
【００５６】
なお、上述した第１調光部１０及び第２調光部２０の構成は、一例に過ぎず種々の変更が可能である。以上の例に限られることなく、第１調光部１０と第２調光部２０との相対位置に応じて、第１調光部１０及び第２調光部２０の両者を透過する光の透過率を調整することができるものであればよい。
【００５７】
図１０Ａは、本開示の一実施形態に係る閉鎖部材４の概略平面図であり、図１０Ｂは、図１０ＡのＩ−Ｉ線断面図である。本実施形態では、第２調光部２０の第１方向Ｘの長さは固定側の第１調光部１０よりも小さく設定されている。第１調光部１０は第２調光部２０を収容するように構成されており、第２調光部２０が第１調光部１０に対して移動可能である。
【００５８】
第１調光部１０は、第２調光部２０を支持するための支持部材３００を有する。支持部材３００は、第１調光部１０の第１辺１０ａに設けられた断面Ｌ字の第１支持部３０１と、第１調光部１０の第２辺１０ｂに設けられた断面Ｌ字の第２支持部３０２とを備える。第１支持部３０１は、第１調光部１０の第１辺１０ａから略垂直に延びる第１基部３０１ａと、第１基部３０１ａの端部から第１調光部１０と平行に延び、かつ、第２調光部２０の第２透明基板２０１と対面する第１壁部３０１ｂとを備える。第２支持部３０２は、第１調光部１０の第２辺１０ｂから略垂直に延びる第２基部３０２ａと、第２基部３０２ａの端部から第１調光部１０と平行に延び、かつ、第２調光部２０の第２透明基板２０１と対面する第２壁部３０２ｂとを備える。このように、第２調光部２０が、第１調光部１０と第１支持部３０１と第２支持部３０２で囲まれた領域に収容されている。第２調光部２０は、第１調光部１０と第１支持部３０１と第２支持部３０２で囲まれた領域内において、第１調光部１０に対して第１方向Ｘに沿って移動可能に構成されている。
【００５９】
なお、第１支持部３０１は第２調光部２０の第１辺２０ａの全体を覆い、かつ、第２支持部３０２は第２調光部２０の第２辺２０ｂの全体を覆うようになっているが、この構成に限定されない。第２調光部２０が第１調光部１０と支持部材３００とで囲まれた領域で第１方向Ｘに移動できればよく、第１支持部３０１が第２調光部２０の第１辺２０ａの一部を覆い、第２支持部３０２は第２調光部２０の第２辺２０ｂの一部を覆うように構成されていてもよい。
【００６０】
図１１Ａは、本開示の一実施形態に係る閉鎖部材４の概略平面図であり、図１１Ｂは、図１１ＡのＩ−Ｉ線断面図である。支持部材３００は、第２調光部２０の上下の第３辺２０ｃ及び第４辺２０ｄを支持する部材をさらに有していてもよい。支持部材３００は、第１調光部１０の第３辺１０ｃに設けられた断面Ｌ字の第３支持部３０３と、第１調光部１０の第４辺１０ｄに設けられた断面Ｌ字の第４支持部３０４とをさらに備えてもよい。第３支持部３０３は、第１調光部１０の第３辺１０ｃから略垂直に延びる第３基部３０３ａと、第３基部３０３ａの端部から第１調光部１０と平行に延び、かつ、第２調光部２０の第２透明基板２０１に対面する第３壁部３０３ｂとを備える。第４支持部３０４は、第１調光部１０の第４辺１０ｄから略垂直に延びる第４基部３０４ａと、第４基部３０４ａの端部から第１調光部１０と平行に延び、かつ、第２調光部２０の第２透明基板２０１に対面する第４壁部３０４ｂとを備える。この構成によれば、第２調光部２０が、第４支持部３０４上において、第１調光部１０に対して第１方向Ｘに沿って移動することが可能である。
【００６１】
第２調光部２０が第１調光部１０に対して移動可能な構成の場合、移動しやすくするために、第２調光部２０は第１調光部１０よりも軽い材料で構成されることが好ましい。例えば、第１調光部１０の第１透明基板１０１がガラスであり、第２調光部２０の第２透明基板２０１が上述した樹脂材料で構成されてもよい。
【００６２】
図１２は、本開示の一実施形態に係る閉鎖部材４の概略断面図である。第１調光部１０又は第２調光部２０にスペーサが取付けられてもよい。図１２の例では、第２調光部２０の第２調光フィルム２０３側の表面にスペーサ４０１が取付けられている。別の例として、スペーサ４０１は、第１調光部１０における第２調光部２０と対面する面（第１調光フィルム１０３の表面）に取付けられてもよい。本例によれば、スペーサ４０１の厚さによって、第１調光部１０と第２調光部２０との間の間隔Ｄ１（図３参照）を規定することができる。
【００６３】
スペーサ４０１は、板状の部材であってもよく、例えば、樹脂板、ガラス板、金属板等を用いてもよい。例えば、スペーサ４０１は、その板状の部材の長手方向が第１方向Ｘに沿うように配置されてもよい。また、スペーサ４０１は、複数の部材で構成されてもよく、例えば、複数のスペーサが、所定の間隔で第１方向Ｘに沿って配置されてもよい。
【００６４】
また、スペーサ４０１の表面は摩擦性が小さい材料で構成されてもよい。この場合、スペーサ４０１の表面（対向する第１調光部１０との接触面）は、フッ素樹脂やシリコン樹脂などの材料で構成されるのが好ましい。
【００６５】
スペーサ４０１として、滑り調整テープが使用されてもよい。例えば、滑り調整テープの接着面と反対側の面は、滑りやすい材料で構成されてもよく、例えば、フッ素樹脂、アルミ箔などで構成されてもよい。滑りやすい材料を用いた場合、第２調光部２０の移動が容易になる。また、テープの接着面と反対側の面は、滑りにくい材料で構成されてもよく、例えば、ウレタンゴムなどで構成されてもよい。滑りにくい材料を用いた場合、振動や意図しない外部からの力が第２調光部２０に与えられた場合における第２調光部２０のずれを防止することができる。
【００６６】
図１３は、本開示の一実施形態に係る閉鎖部材４の概略断面図である。第１調光部１０及び第２調光部２０の両方が、第１方向Ｘに沿って移動するように構成されてもよい。支持部材３００は、第１調光部１０の第１辺１０ａ及び第２調光部２０の第１辺２０ａを支持する第１支持部３１１と、第１調光部１０の第２辺１０ｂ及び第２調光部２０の第２辺２０ｂを支持する第２支持部３１２とを備える。
【００６７】
第１支持部３１１は、第１基部３１１ａと、第１基部３１１ａの端部から突出し、第１調光部１０の第１透明基板１０１に対面する第１壁部３１１ｂと、第１基部３１１ａの端部から突出し、第２調光部２０の第２透明基板２０１に対面する第２壁部３１１ｃとを備える。また、第２支持部３１２は、第２基部３１２ａと、第２基部３１２ａの端部から突出し、第１調光部１０の第１透明基板１０１に対面する第３壁部３１２ｂと、第２基部３１２ａの端部から突出し、第２調光部２０の第２透明基板２０１に対面する第４壁部３１２ｃとを備える。これにより、第１調光部１０及び第２調光部２０が、第１支持部３１１と第２支持部３１２で囲まれた領域に収容されている。第１調光部１０及び第２調光部２０は、第１支持部３１１と第２支持部３１２で囲まれた領域内において第１方向Ｘに沿って移動が可能に構成されている。なお、図１１Ａ及び図１１Ｂで示した構成と同様に、支持部材３００が、第１調光部１０及び第２調光部２０の上下部分を支持する部材を備えてもよい。
【００６８】
図１４は、本開示の一実施形態に係る閉鎖部材４の概略平面図である。上述の実施形態では、閉鎖部材４の移動方向（第１方向Ｘ）と第２調光部２０の移動方向（第１方向Ｘ）とが平行になっているが、閉鎖部材４の移動方向と第２調光部２０の移動方向とが異なってもよい。図１４では、閉鎖部材４の移動方向（第１方向Ｘ）と第２調光部２０の移動方向（第２方向Ｙ）とが直交している。この場合、ストライプ状の第１調光領域１１及び第２調光領域２１のパターンは第２方向Ｙに配列される。例えば、閉鎖部材４が移動体（車、船など）に適用された場合、移動体の移動方向と第２調光部２０の移動方向とが平行であると、移動体が移動するときにかかる力によって第２調光部２０の位置がずれる可能性がある。第２調光部２０の移動方向を移動体の移動方向と異なるように適宜選択することにより、第２調光部２０の位置ずれを防ぐことができる。なお、閉鎖部材４の移動方向（第１方向Ｘ）と第２調光部２０の移動方向とが、９０度以外の所定の角度で交差するように構成されてもよい。
【００６９】
次に、第２調光部２０の位置ずれを防ぐ構成について説明する。閉鎖部材４が移動体に設置されている場合や閉鎖部材４の設置個所が傾いている場合、第２調光部２０の位置がずれて、透過状態ではストライプ状に遮光領域が発現し、遮光状態ではストライプ状に透過領域が発現してしまう。これを防ぐために、調光装置１は、第１調光部１０に対する第２調光部２０の移動を規制する規制手段を備えてもよい。
【００７０】
図１５Ａは、本開示の一実施形態に係る閉鎖部材４の概略平面図であり、図１５Ｂは、図１５ＡのＩ−Ｉ線断面図である。調光装置１は、上記の規制手段として、第１調光部１０に配置された第１磁石と、第１磁石と対面するように第２調光部２０に配置された第２磁石とを備えてもよい。第１磁石と第２磁石との吸着により第１調光部１０に対する第２調光部２０の移動を規制することができる。
【００７１】
具体的には、第１調光部１０の第１辺１０ａの近傍において、第１調光部１０の第１調光フィルム１０３の表面には、第１Ｓ極磁石５０１ａ及び第２Ｓ極磁石５０１ｂが間隔を空けて配置されている。また、第２調光部２０の第１辺２０ａの近傍において、第２調光部２０の第２調光フィルム２０３の表面には、Ｎ極磁石５０２が配置されている。第１磁石５０１ａ及び第２磁石５０１ｂの間隔は、第２調光部２０の移動幅がＷｑとなるように設定されている。図１５Ｂでは、第１Ｓ極磁石５０１ａとＮ極磁石５０２とが吸着した状態である。このとき、調光装置１は透過状態である。
【００７２】
図１５Ｃは、図１５Ｂの状態から第２調光部２０を第１方向Ｘに移動させた後の状態を示す。図１５Ｃでは、第２Ｓ極磁石５０１ｂとＮ極磁石５０２とが吸着した状態である。このとき、調光装置１は遮光状態となる。この構成によれば、閉鎖部材４が移動体に設置されている場合や閉鎖部材４の設置個所が傾いている場合でも、磁石によって第１調光部１０及び第２調光部２０の相対位置関係が保持されるため、可動側の第２調光部２０の位置ずれを防ぐことができる。また、第２調光部２０を移動したときには磁石によって移動幅がＷｑで規制されるため、透過状態と遮光状態との切替え時の位置ずれも防ぐことができる。
【００７３】
なお、図１５Ａに示すように、上記の磁石構造は第２調光部２０の４隅（上下左右の角部の位置）に設けられることが好ましい。磁石によって第２調光部２０を図１５Ａに示すような４個所で保持することで、第２調光部２０の位置ずれを効果的に防ぐことができる。また、上記の磁石構造は、一例であり、磁石の位置や数などは適宜変更されてもよい。さらに、磁石構造は、永久磁石であってもよいし、電磁石であってもよい。
【００７４】
図１６Ａは、本開示の一実施形態に係る閉鎖部材４の概略断面図であり、図１６Ｂは、本開示の一実施形態に係る閉鎖部材４の概略平面図である。上記の規制手段は、第２調光部２０に配置された第１摩擦部材と、第１摩擦部材と対面する位置に配置された第２摩擦部材とから構成されてもよい。第１摩擦部材と第２摩擦部材の接触により第１調光部１０に対する第２調光部２０の移動を規制することができる。
【００７５】
具体的には、第２調光部２０の第４辺２０ｄの第１方向Ｘの両端には摩擦性が大きい摩擦部材が配置されている。例えば、第２調光部２０の第４辺２０ｄの両端には第１摩擦テープ５１１及び第２摩擦テープ５１２が貼られている。また、第２調光部２０の第４辺２０ｄに対面する第４支持部３０４には、第３摩擦テープ５１３及び第４摩擦テープ５１４が貼られている。図１６Ｂでは、第１摩擦テープ５１１と第３摩擦テープ５１３が接触した状態である。このとき、調光装置１は透過状態である。この状態では、摩擦テープ同士の接触によって第１調光部１０及び第２調光部２０の相対位置関係が保持されるため、可動側の第２調光部２０の位置ずれを防ぐことができる。
【００７６】
図１６Ｃは、図１６Ｂの状態から第２調光部２０を第１方向Ｘに移動させたときの状態を示す。図１６Ｂに示すように第２摩擦テープ５１２と第４摩擦テープ５１４との間隔は、第２調光部２０の移動幅がＷｑになるように設定されている。したがって、第２調光部２０を第１方向ＸにＷｑだけ移動したときに第２摩擦テープ５１２と第４摩擦テープ５１４とが接触して、第２調光部２０の移動に制限がかかる。第２摩擦テープ５１２と第４摩擦テープ５１４とが接触した状態では、調光装置１は遮光状態となる。この状態においても、摩擦テープ同士の接触によって第１調光部１０及び第２調光部２０の相対位置関係が保持されるため、可動側の第２調光部２０の位置ずれを防ぐことができる。上記の構成によれば、閉鎖部材４が移動体に設置されている場合や、閉鎖部材４の設置個所が傾いている場合でも、摩擦テープ同士の接触によって可動側の第２調光部２０の位置ずれを防ぐことができる。また、第２調光部２０を移動したときには摩擦テープによって移動幅がＷｑで規制されるため、透過状態と遮光状態との切替え時の位置ずれも防ぐことができる。
【００７７】
図１７Ａは、本開示の一実施形態に係る閉鎖部材４の概略断面図であり、図１７Ｂは、本開示の一実施形態に係る閉鎖部材４の概略平面図である。上記の規制手段は、第２調光部２０に設けられた突起部と、突起部と対面する位置に配置された凹部とから構成されてもよい。
【００７８】
具体的には、第２調光部２０の第４辺２０ｄの第１方向Ｘの両端には第１突起部５２１及び第２突起部５２２が設けられている。また、第２調光部２０の第４辺２０ｄに対面する第４支持部３０４には、第１凹部５２３、第２凹部５２４、第３凹部５２５、及び、第４凹部５２６が設けられている。図１７Ｂでは、第１突起部５２１が第１凹部５２３に入り込んだ状態であり、第２突起部５２２が第３凹部５２５に入り込んだ状態である。このとき、調光装置１は透過状態である。この状態では、突起部と凹部の嵌め合いによって第１調光部１０及び第２調光部２０の相対位置関係が保持されるため、可動側の第２調光部２０の位置ずれを防ぐことができる。
【００７９】
図１７Ｃは、図１７Ｂの状態から第２調光部２０を第１方向Ｘに移動させたときの状態を示す。第１凹部５２３と第２凹部５２４との間隔及び第３凹部５２５と第４凹部５２６との間隔は、第２調光部２０の移動幅がＷｑになるように設定されている。したがって、第２調光部２０を上に持ち上げて、第１方向ＸにＷｑだけ移動したときに、第１突起部５２１が第２凹部５２４に入り込み、第２突起部５２２が第４凹部５２６に入り込み、これにより、第２調光部２０の移動が停止する。このとき、調光装置１は遮光状態となる。この状態においても、突起部と凹部の嵌め合いによって第１調光部１０及び第２調光部２０の相対位置関係が保持されるため、可動側の第２調光部２０の位置ずれを防ぐことができる。上記の構成によれば、閉鎖部材４が移動体に設置されている場合や、閉鎖部材４の設置個所が傾いている場合でも、突起部と凹部の嵌め合いによって第２調光部２０の位置が保持されるため、可動側の第２調光部２０の位置ずれを防ぐことができる。また、第２調光部２０を移動したときには凹部によって移動幅がＷｑで規制されるため、透過状態と遮光状態との切替え時の位置ずれも防ぐことができる。
【００８０】
図１８Ａは、本開示の一実施形態に係る閉鎖部材４の概略断面図である。本明細書等において、第１調光部１０及び第２調光部２０が互いに対面する側を「内側」と称し、その反対側を「外側」と称する。第１調光部１０及び第２調光部２０の一方又は両方が合わせガラスで構成されてもよい。合わせガラスとは、複数のガラス板の間に中間膜を挟み、中間膜を介して複数のガラスを接着したものをいう。
【００８１】
図１８Ａの例では、第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された中間膜１０４と、第１内側透明基板１０２上に配置された第１調光フィルム１０３とを有する。
【００８２】
第１内側透明基板１０２の構成材料としては、上述と同様に、ガラス等の無機材料、ポリエチレンテレフタレート等のポリエステル系樹脂、アクリル系樹脂、ポリカーボネート樹脂、エポキシ樹脂、シリコン樹脂等の樹脂材料等が挙げられる。
【００８３】
中間膜１０４は、少なくとも第１の層を含む。第１の層は、熱接着性樹脂を含む。熱接着性樹脂としては、熱硬化性材料、熱可塑性材料が挙げられる。なかでも熱可塑性材料が好ましく用いられる。熱可塑性材料としては、例えば、ポリビニルアセタール樹脂（ポリビニルブチラール（ＰＶＢ）樹脂を含む）、エチレン・酢酸ビニル共重合体（ＥＶＡ）樹脂、アイオノマー樹脂、塩化ビニル樹脂、ウレタン樹脂、又はポリアミド樹脂等が用いられる。なかでもポリビニルアセタール樹脂、エチレン・酢酸ビニル共重合体樹脂、アイオノマー樹脂は、耐貫通性の観点で優れ、さらに、エチレン・酢酸ビニル共重合体樹脂、アイオノマー樹脂は、耐湿性の観点で優れる。
【００８４】
中間膜１０４は、第１の層に積層された第２の層を含んでもよい。第２の層は、中間膜による遮音性を向上させる層であってもよく、例えば、熱可塑性樹脂及び可塑剤を含む層や、熱可塑性エラストマーを含む層等で構成される。なお、熱可塑性エラストマーとは、加熱により軟化して可塑性を示し、冷却すると固化してゴム弾性を示す高分子化合物をいう。
【００８５】
さらに、中間膜１０４は、第２の層に積層された第３の層を含んでもよい。この場合、中間膜１０４は、第１外側透明基板１０１側から、第１の層、第２の層、及び第３の層をこの順に含む。第３の層は、熱接着性樹脂を含む。なかでも熱可塑性材料が好ましく用いられ、熱可塑性材料としては、例えば、ポリビニルアセタール樹脂（ポリビニルブチラール樹脂を含む）、エチレン・酢酸ビニル共重合体樹脂、アイオノマー樹脂、塩化ビニル樹脂、ウレタン樹脂、又はポリアミド樹脂等が用いられる。なかでもポリビニルアセタール樹脂、エチレン・酢酸ビニル共重合体樹脂、アイオノマー樹脂は、耐貫通性の観点で優れ、さらに、エチレン・酢酸ビニル共重合体樹脂、アイオノマー樹脂は、耐湿性の観点で優れる。接着性及び遮音性を両立する観点から、中間膜１０４は、ゴム弾性を有する第２の層を、第１の層及び第３の層で挟んだ構造を有してもよい。
【００８６】
また、中間膜１０４を構成する層の少なくとも１つが、遮熱材料、紫外線吸収剤等を含んでもよい。遮熱材料としては、赤外線の少なくとも一部を減ずることができる材料であり、好ましくは中赤外線を減ずることができる材料が用いられる。例えば、錫ドープ酸化インジウム（ＩＴＯ）、アンチモンドープ酸化錫（ＡＴＯ）、アルミニウムドープ酸化亜鉛（ＡＺＯ）、フタロシアニン化合物（ＮＩＯＢＰ）、ナフタロシアニン化合物、アントラシアニン骨格を有する化合物、一般式ＭｍＷＯｎ（Ｍは金属元素を表し、ｍは０．０１以上、１．０以下、ｎは２．２以上、３．０以下である）で表される金属ドープ酸化タングステン、アンチモン酸亜鉛（ＺｎＳｂ２Ｏ５）、六ホウ化ランタンなどが挙げられる。紫外線吸収剤としては、紫外線の少なくとも一部を減ずることができる材料が用いられる。例えば、ベンゾトリアゾール系紫外線吸収剤、ヒンダードアミン系紫外線吸収剤、ベンゾエート系紫外線吸収剤等が用いられる。このように、中間膜は、単層ないし多層の構造として構成されうる。
【００８７】
第１調光部１０は、合わせガラス構造を有するため、耐衝撃性及び遮音性を高めることができる。なお、好ましくは、第１外側透明基板１０１の厚さは、第１内側透明基板１０２の厚さよりも大きい。屋外側に配置される第１外側透明基板１０１の厚さを大きくすることで、屋外からの衝撃に対する耐衝撃性、及び、屋外からの音に対する遮音性をより高めることができる。
【００８８】
図１８Ｂは、本開示の一実施形態に係る閉鎖部材４の概略断面図である。図１８Ｂの例では、第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された第１調光フィルム１０３と、第１外側透明基板１０１と第１内側透明基板１０２との間に配置された中間膜１０４とを有する。中間膜１０４は、第１外側透明基板１０１と第１調光フィルム１０３との間に配置された第１外側中間膜１０４ａと、第１内側透明基板１０２と第１調光フィルム１０３との間に配置された第１内側中間膜１０４ｂとを有する。
【００８９】
第１外側中間膜１０４ａ及び第１内側中間膜１０４ｂは、上述した中間膜の構成を備えてよい。なお、第１外側中間膜１０４ａ及び第１内側中間膜１０４ｂの一方が、上記中間膜の構成を備え、他方が上記中間膜とは別の接着層で構成されてもよい。接着層としては、特に限定されないが、例えば、粘着剤、熱硬化性接着剤や光硬化性接着剤等の接着剤等が挙げられる。例えば、接着層として、例えばアクリル系接着剤、シリコン系接着剤、エステル系接着剤、ウレタン系接着剤、フッ素系接着剤、ポリイミド系接着剤、エポキシ系接着剤、ポリウレタンエステル系接着剤、酢酸ビニル系接着剤、合成ゴム系接着剤、天然ゴム系接着剤等が用いられる。なかでも透明性、耐久性、耐熱性に優れ、低コストであることから、アクリル系接着剤が好ましい。
【００９０】
第１調光部１０は、第１調光フィルム１０３を中間膜１０４ａ、１０４ｂを介して２つの透明基板１０１、１０２で挟むような合わせガラス構造を有するため、耐衝撃性を高めることができる。また、合わせガラス構造によって、遮音性も高めることができる。さらに、第１調光フィルム１０３が透明基板１０１、１０２の間に配置されることにより、第１調光フィルム１０３の経年劣化が抑制される。なお、好ましくは、第１外側透明基板１０１の厚さは、第１内側透明基板１０２の厚さよりも大きい。屋外側に配置される第１外側透明基板１０１の厚さを大きくすることで、屋外からの衝撃に対する耐衝撃性、及び、屋外からの音に対する遮音性をより高めることができる。
【００９１】
図１８Ｃは、本開示の一実施形態に係る閉鎖部材４の概略断面図である。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された中間膜１０４と、第１内側透明基板１０２に配置された第１調光フィルム１０３とを有する。また、第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された中間膜２０４と、第２内側透明基板２０２上に配置された第２調光フィルム２０３とを有する。好ましくは、第２外側透明基板２０１の厚さは、第２内側透明基板２０２の厚さよりも大きい。この構成によれば、第２調光部２０も合わせガラス構造を有するため、耐衝撃性及び遮音性をより高めることができる。
【００９２】
図１８Ｄは、本開示の一実施形態に係る閉鎖部材４の概略断面図である。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された第１調光フィルム１０３と、第１外側透明基板１０１と第１調光フィルム１０３との間に配置された第１外側中間膜１０４ａと、第１内側透明基板１０２と第１調光フィルム１０３との間に配置された第１内側中間膜１０４ｂとを有する。好ましくは、第１外側透明基板１０１の厚さは、第１内側透明基板１０２の厚さよりも大きい。また、第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された第２調光フィルム２０３と、第２外側透明基板２０１と第２調光フィルム２０３との間に配置された第２外側中間膜２０４ａと、第２内側透明基板２０２と第２調光フィルム２０３との間に配置された第２内側中間膜２０４ｂとを有する。第２外側中間膜２０４ａと第２内側中間膜２０４ｂは、上記の中間膜１０４と同じ材料で構成することができる。また、好ましくは、第２外側透明基板２０１の厚さは、第２内側透明基板２０２の厚さよりも大きい。この構成によれば、第２調光部２０も合わせガラス構造を有するため、耐衝撃性及び遮音性をより高めることができる。さらに、第２調光フィルム２０３が透明基板２０１、２０２の間に配置されることにより、第２調光フィルム２０３の経年劣化が抑制される。
【００９３】
図１８Ｅは、本開示の一実施形態に係る閉鎖部材４の概略断面図である。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された中間膜１０４と、第１内側透明基板１０２に配置された第１調光フィルム１０３とを有する。好ましくは、第１外側透明基板１０１の厚さは、第１内側透明基板１０２の厚さよりも大きい。また、第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された第２調光フィルム２０３と、第２外側透明基板２０１と第２調光フィルム２０３との間に配置された第２外側中間膜２０４ａと、第２内側透明基板２０２と第２調光フィルム２０３との間に配置された第２内側中間膜２０４ｂとを有する。好ましくは、第２外側透明基板２０１の厚さは、第２内側透明基板２０２の厚さよりも大きい。この構成によれば、耐衝撃性及び遮音性をより高めることができる。さらに、第２調光フィルム２０３が透明基板２０１、２０２の間に配置されることにより、第２調光フィルム２０３の経年劣化が抑制される。
【００９４】
図１８Ｆは、本開示の一実施形態に係る閉鎖部材４の概略断面図である。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された第１調光フィルム１０３と、第１外側透明基板１０１と第１調光フィルム１０３との間に配置された第１外側中間膜１０４ａと、第１内側透明基板１０２と第１調光フィルム１０３との間に配置された第１内側中間膜１０４ｂとを有する。好ましくは、第１外側透明基板１０１の厚さは、第１内側透明基板１０２の厚さよりも大きい。また、第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された中間膜２０４と、第２内側透明基板２０２上に配置された第２調光フィルム２０３とを有する。好ましくは、第２外側透明基板２０１の厚さは、第２内側透明基板２０２の厚さよりも大きい。この構成によれば、耐衝撃性及び遮音性をより高めることができる。さらに、第１調光フィルム１０３が透明基板１０１、１０２の間に配置されることにより、第１調光フィルム１０３の経年劣化が抑制される。
【００９５】
図１９は、本開示の一実施形態に係る閉鎖部材４の概略断面図である。第１調光部１０が第１曲率半径を有し、第２調光部２０が第２曲率半径を有していてもよい。図１９に示すように、好ましくは、第１調光部１０の曲率の向き及び第２調光部２０の曲率の向きは同じである。言い換えると、第１調光部１０の曲率中心と第２調光部２０の曲率中心は第２空間Ａ２側にある。ここで曲率半径とは、調光部の断面において、ある点の近傍の曲線を近似する仮想円の半径である。本明細書においては、第１調光部１０の曲率半径とは、最も外側に位置する第１透明基板１０１の表面の曲率半径をさし、第２調光部２０の曲率半径とは、最も外側に位置する第２透明基板２０１の表面の曲率半径をさす。好ましくは、第１曲率半径及び第２曲率半径は、０．１ｍ以上である。斜視時の調光性能の低下を抑える観点からさらに好ましくは１ｍ以上である。
【００９６】
第１調光部１０及び第２調光部２０は、同じ曲率半径を有していてもよいし、異なる曲率半径を有していてもよい。第１曲率半径及び第２曲率半径の差ができるだけ小さい方が好ましく、より好ましくは、第１曲率半径及び第２曲率半径が同じである。このような構成によれば、調光フィルム１０３、２０３同士を近接させ易くなり、斜視時の調光性能の低下を抑えることができる。
【００９７】
なお、第１調光部１０及び第２調光部２０は、全面にわたって同じ曲率半径を有していてもよいし、部分的に異なる曲率半径を有していてもよい。
【００９８】
図２０は、本開示の一実施形態に係る閉鎖部材４の概略断面図である。仮想同心円の外側に位置する第１調光部１０の第１調光領域１１の幅ｌ１は、仮想同心円の内側に位置する第２調光部２０の第２調光領域２１の幅ｌ２よりも大きい。例えば、第１調光部１０及び第２調光部２０が所定の曲率半径を有する場合、第１調光領域１１の幅ｌ１と第２調光領域２１の幅ｌ２が同じであると、特に第２空間Ａ２側から斜めに調光装置１を見たときに、第１調光領域１１の各領域１２、１３と第２調光領域２１の対応する領域２２、２３との境界部分が一致せず、透過状態ではストライプ状に遮光領域が発現し、遮光状態ではストライプ状に透過領域が発現する。これに対して、第１調光領域１１の幅ｌ１を第２調光領域２１の幅ｌ２よりも大きくすることで、第２空間Ａ２側から斜めに調光装置１を見た場合でも、ストライプ状に遮光領域や透過領域が発現しにくくなるという効果がある。
【００９９】
図２１Ａ〜図２１Ｆは、図１９の構成に対して合わせガラスを適用した例である。
【０１００】
図２１Ａは、本開示の一実施形態に係る閉鎖部材４の概略断面図である。閉鎖部材４は、図１８Ａの構成を備える。第１調光部１０が第１曲率半径を有し、第２調光部２０が第２曲率半径を有する。第１調光部１０の曲率の向き及び第２調光部２０の曲率の向きは同じである。
【０１０１】
図２１Ｂは、本開示の一実施形態に係る閉鎖部材４の概略断面図である。閉鎖部材４は、図１８Ｂの構成を備える。第１調光部１０が第１曲率半径を有し、第２調光部２０が第２曲率半径を有する。第１調光部１０の曲率の向き及び第２調光部２０の曲率の向きは同じである。
【０１０２】
図２１Ｃは、本開示の一実施形態に係る閉鎖部材４の概略断面図である。閉鎖部材４は、図１８Ｃの構成を備える。第１調光部１０が第１曲率半径を有し、第２調光部２０が第２曲率半径を有する。第１調光部１０の曲率の向き及び第２調光部２０の曲率の向きは同じである。
【０１０３】
図２１Ｄは、本開示の一実施形態に係る閉鎖部材４の概略断面図である。閉鎖部材４は、図１８Ｄの構成を備える。第１調光部１０が第１曲率半径を有し、第２調光部２０が第２曲率半径を有する。第１調光部１０の曲率の向き及び第２調光部２０の曲率の向きは同じである。
【０１０４】
図２１Ｅは、本開示の一実施形態に係る閉鎖部材４の概略断面図である。閉鎖部材４は、図１８Ｅの構成を備える。第１調光部１０が第１曲率半径を有し、第２調光部２０が第２曲率半径を有する。第１調光部１０の曲率の向き及び第２調光部２０の曲率の向きは同じである。
【０１０５】
図２１Ｆは、本開示の一実施形態に係る閉鎖部材４の概略断面図である。閉鎖部材４は、図１８Ｆの構成を備える。第１調光部１０が第１曲率半径を有し、第２調光部２０が第２曲率半径を有する。第１調光部１０の曲率の向き及び第２調光部２０の曲率の向きは同じである。
【０１０６】
図２２は、本開示の一実施形態に係る閉鎖部材４を製造する方法を説明する図である。第１空間Ａ１及び第１空間Ａ１に隣り合う第２空間Ａ２の間にある開口部３に窓部６０が配置されている。窓部６０は、第１方向Ｘに沿って移動し、かつ開閉可能な第１透明基板１０１を有する。図２２（ａ）に示すように、第１透明基板１０１に接着層１０８を介して第１調光フィルム１０３を貼り合せることにより第１調光部１０を作成する。次に、図２２（ｂ）に示すように、第１調光部１０に第１支持部３０１及び第２支持部３０２を取り付ける。なお、第２調光部２０を上下でも支持する場合には、図示省略の第３支持部３０３及び第４支持部３０４が取り付けられてもよい。次に、図２２（ｃ）に示すように、第１調光部１０と第１支持部３０１と第２支持部３０２とで囲まれた領域に第２調光部２０を配置する。図２２の方法によれば、既存の窓（例えば、１枚のガラス窓）から、調光機能と開閉機能を備えた調光装置を製造することができる。
【０１０７】
図２３は、本開示の一実施形態に係る閉鎖部材４を製造する方法を説明する図である。第１空間Ａ１及び第２空間Ａ２の間にある開口部３に窓部６０が配置されている。窓部６０は、第１方向Ｘに沿って移動し、かつ開閉可能な合わせガラスを有する。窓部６０は、第１外側透明基板１０１と、第１内側透明基板１０２と、第１外側透明基板１０１と第１内側透明基板１０２との間に配置された中間膜１０４とを有する。図２３（ａ）に示すように、第１内側透明基板１０２に接着層１０８を介して第１調光フィルム１０３を貼り合せることにより第１調光部１０を作成する。次に、図２３（ｂ）に示すように、第１調光部１０に第１支持部３０１及び第２支持部３０２を取り付ける。なお、第２調光部２０を上下でも支持する場合には、図示省略の第３支持部３０３及び第４支持部３０４が取り付けられてもよい。次に、図２３（ｃ）に示すように、第１調光部１０と第１支持部３０１と第２支持部３０２とで囲まれた領域に第２調光部２０を配置する。図２３の方法によれば、既存の合わせガラスから、調光機能と開閉機能を備えた調光装置を製造することができる。
【０１０８】
図２４は、本開示の一実施形態に係る閉鎖部材４を製造する方法を説明する図である。第１空間Ａ１及び第２空間Ａ２の間にある開口部３に窓部６０が配置されている。窓部６０は、第１方向Ｘに沿って移動し、かつ開閉可能な第１透明基板１０１を有する。図２４（ａ）に示すように、第２空間Ａ２側から、第１外側中間膜１０４ａ及び第１内側中間膜１０４ｂを有する第１調光フィルム１０３を第１透明基板１０１に配置し、さらに、第１内側透明基板１０２を押し当てる。そして、第１外側透明基板１０１と第１内側透明基板１０２との間で第１調光フィルム１０３を挟んだ状態で接着工程を実施する。接着工程として、従来から公知の合わせガラスの接着方法を適用することができる。例えば、合わせガラスの接着方法として、真空ラミネータ装置を用いる方法、真空バッグを用いる方法、真空リングを用いる方法、ニップロールを用いる方法、及び、仮圧着後に、オートクレーブ工程に投入する方法等が挙げられる。これにより、第１調光部１０を作成する。次に、図２４（ｂ）に示すように、第１調光部１０に第１支持部３０１及び第２支持部３０２を取り付ける。なお、第２調光部２０を上下でも支持する場合には、図示省略の第３支持部３０３及び第４支持部３０４が取り付けられてもよい。次に、図２４（ｃ）に示すように、第１調光部１０と第１支持部３０１と第２支持部３０２とで囲まれた領域に第２調光部２０を配置する。図２４の方法によれば、既存の１枚の窓から、合わせガラス構造を有し、かつ調光機能と開閉機能を備えた調光装置を製造することができる。
【０１０９】
なお、図２２〜図２４の製造方法において、第２調光部２０は、上述した合わせガラスの構造を備えていてもよい。
【０１１０】
図２５Ａ及び図２５Ｂは、本開示の一実施形態に係る建具を示す概略斜視図である。閉鎖部材４は、開口部３に設けられた軸（ヒンジ）を中心に回転し、開状態と閉状態とが切替えることができる構成でもよい。図２５Ａは閉鎖部材４の閉状態を示し、図２５Ｂは閉鎖部材４の開状態を示す。このような構造を有する建具の一例として、滑り出し窓がある。図２５Ａ及び図２５Ｂの例では、縦方向（第２方向Ｙ）に延びる軸を中心に閉鎖部材４が回転するが、横方向（第１方向Ｘ）に延びる軸を中心に閉鎖部材４が回転してもよい。
【０１１１】
［第２実施形態］
図２６Ａは、本開示の一実施形態に係る建具を示す概略平面図であり、図２６Ｂは、図２６ＡのＩ−Ｉ断面図である。調光装置１は、２つの閉鎖部材を備えており、２つの閉鎖部材が独立して第１方向Ｘに移動可能に構成されている。このような構造を有する建具の一例として、二重窓がある。二重窓は、２つの窓（典型的にはガラスであるが、これに限定されない）が別箇の案内レールに収容され、別個に案内レールに沿って移動できる構造を有する。なお、別の例として、それぞれが独立して案内レール上を移動可能な複数の引き戸やパーテション等が挙げられる。
【０１１２】
調光装置１は、第１空間Ａ１と第２空間Ａ２とを仕切る、開閉可能な第１閉鎖部材４１及び第２閉鎖部材４２を備える。また、壁部２は、第１閉鎖部材４１及び第２閉鎖部材４２を収容することが可能な収容領域５を有する。第１閉鎖部材４１及び第２閉鎖部材４２は、それぞれ、閉状態と開状態を有する。図２６Ａは、第１閉鎖部材４１及び第２閉鎖部材４２の閉状態を示す。第１閉鎖部材４１及び第２閉鎖部材４２を第１方向Ｘに沿って収容領域５から開口部３に向かって移動させることにより閉状態にすることができる。
【０１１３】
図２７Ａ及び図２７Ｂは、第１閉鎖部材４１及び第２閉鎖部材４２の開状態を示す。第１閉鎖部材４１及び第２閉鎖部材４２を第１方向Ｘに沿って開口部３から収容領域５に移動させることにより開状態にすることができる。
【０１１４】
図２８は、本開示の一実施形態に係る建具を示す概略断面図である。閉鎖部材を収容する領域は１つに限定されない。例えば、壁部２が、２つの閉鎖部材４１、４２をそれぞれ独立して収容する第１収容領域５１及び第２収容領域５２を有していてもよい。この例では、第１閉鎖部材４１が第１収容領域５１に収容され、第２閉鎖部材４２が第２収容領域５２に収容される。
【０１１５】
図２９は、本開示の一実施形態に係る建具を示す概略断面図である。第１収容領域５１及び第２収容領域５２が、壁部２の対向する第１開口側側面２ａ及び第２開口側側面２ｂにそれぞれ設けられてもよい。この例では、第１閉鎖部材４１が、第１開口側側面２ａに設けられた第１収容領域５１に収容され、第２閉鎖部材４２が、第２開口側側面２ｂに設けられた第２収容領域５２に収容される。
【０１１６】
図３０は、本開示の一実施形態に係る建具を示す概略平面図である。第１閉鎖部材４１の移動方向と第２閉鎖部材４２の移動方向が所定の角度で交差してもよい。この例では、第１閉鎖部材４１が第１方向Ｘに沿って移動し、第２閉鎖部材４２が第１方向Ｘに直交する第２方向Ｙに沿って移動する。
【０１１７】
図３１は、本開示の一実施形態に係る建具を示す概略平面図である。閉鎖部材を収容する領域が無くてもよい。このような構造を有する建具の一例として、引違い窓がある。このような構成では、開口部３の片側で第１閉鎖部材４１と第２閉鎖部材を重ね合わせて調光しつつ、開口部３の他方の側で通気を行うことができる。
【０１１８】
図３２Ａは、本開示の一実施形態に係る第１閉鎖部材４１と第２閉鎖部材４２の概略断面図である。第１閉鎖部材４１は第１調光部１０を備える。第１調光部１０は、第１透明基板１０１と、第１透明基板１０１上に配置された第１調光フィルム１０３とを有する。また、第２閉鎖部材４２は第２調光部２０を備える。第２調光部２０は、第２透明基板２０１と、第２透明基板２０１上に配置された第２調光フィルム２０３とを有する。本実施形態では、第１閉鎖部材４１と第２閉鎖部材４２を独立して移動させて、第１閉鎖部材４１と第２閉鎖部材４２が対面する領域を変化させることができる。これにより、第１調光フィルム１０３と第２調光フィルム２０３が対面する領域が変化し、透過状態と遮光状態を切替えることができる。
【０１１９】
図３２Ｂは、本開示の一実施形態に係る第１閉鎖部材４１と第２閉鎖部材４２の概略断面図である。第１閉鎖部材４１は第１調光部１０を備える。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された中間膜１０４と、第１内側透明基板１０２上に配置された第１調光フィルム１０３とを有する。また、第２閉鎖部材４２は第２調光部２０を備える。第２調光部２０が、第２透明基板２０１と、第２透明基板２０１上に配置された第２調光フィルム２０３とを有する。
【０１２０】
図３２Ｃは、本開示の一実施形態に係る第１閉鎖部材４１と第２閉鎖部材４２の概略断面図である。第１閉鎖部材４１は第１調光部１０を備える。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された第１調光フィルム１０３と、第１外側透明基板１０１と第１調光フィルム１０３との間に配置された第１外側中間膜１０４ａと、第１内側透明基板１０２と第１調光フィルム１０３との間に配置された第１内側中間膜１０４ｂとを有する。また、第２閉鎖部材４２は第２調光部２０を備える。第２調光部２０が、第２透明基板２０１と、第２透明基板２０１上に配置された第２調光フィルム２０３とを有する。
【０１２１】
図３２Ｄは、本開示の一実施形態に係る第１閉鎖部材４１と第２閉鎖部材４２の概略断面図である。第１閉鎖部材４１は第１調光部１０を備える。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された中間膜１０４と、第１内側透明基板１０２上に配置された第１調光フィルム１０３とを有する。また、第２閉鎖部材４２は第２調光部２０を備える。第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された中間膜２０４と、第２内側透明基板２０２上に配置された第２調光フィルム２０３とを有する。
【０１２２】
図３２Ｅは、本開示の一実施形態に係る第１閉鎖部材４１と第２閉鎖部材４２の概略断面図である。第１閉鎖部材４１は第１調光部１０を備える。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された第１調光フィルム１０３と、第１外側透明基板１０１と第１調光フィルム１０３との間に配置された第１外側中間膜１０４ａと、第１内側透明基板１０２と第１調光フィルム１０３との間に配置された第１内側中間膜１０４ｂとを有する。また、第２閉鎖部材４２は第２調光部２０を備える。第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された第２調光フィルム２０３と、第２外側透明基板２０１と第２調光フィルム２０３との間に配置された第２外側中間膜２０４ａと、第２内側透明基板２０２と第２調光フィルム２０３との間に配置された第２内側中間膜２０４ｂとを有する。
【０１２３】
図３２Ｆは、本開示の一実施形態に係る第１閉鎖部材４１と第２閉鎖部材４２の概略断面図である。第１閉鎖部材４１は第１調光部１０を備える。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された中間膜１０４と、第１内側透明基板１０２上に配置された第１調光フィルム１０３とを有する。また、第２閉鎖部材４２は第２調光部２０を備える。第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された第２調光フィルム２０３と、第２外側透明基板２０１と第２調光フィルム２０３との間に配置された第２外側中間膜２０４ａと、第２内側透明基板２０２と第２調光フィルム２０３との間に配置された第２内側中間膜２０４ｂとを有する。
【０１２４】
図３２Ｇは、本開示の一実施形態に係る第１閉鎖部材４１と第２閉鎖部材４２の概略断面図である。第１閉鎖部材４１は第１調光部１０を備える。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された第１調光フィルム１０３と、第１外側透明基板１０１と第１調光フィルム１０３との間に配置された第１外側中間膜１０４ａと、第１内側透明基板１０２と第１調光フィルム１０３との間に配置された第１内側中間膜１０４ｂとを有する。また、第２閉鎖部材４２は第２調光部２０を備える。第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された中間膜２０４と、第２内側透明基板２０２上に配置された第２調光フィルム２０３とを有する。
【０１２５】
図３３Ａ〜図３３Ｇは、図３２Ａ〜図３２Ｇの第１閉鎖部材４１と第２閉鎖部材４２が所定の曲率で曲がっている構成を示す。
【０１２６】
図３３Ａは、本開示の一実施形態に係る第１閉鎖部材４１と第２閉鎖部材４２の概略断面図である。第１閉鎖部材４１と第２閉鎖部材４２は、図３２Ａの構成を備える。第１調光部１０が第１曲率半径を有し、第２調光部２０が第２曲率半径を有する。第１調光部１０の曲率の向き及び第２調光部２０の曲率の向きは同じである。
【０１２７】
図３３Ｂは、本開示の一実施形態に係る第１閉鎖部材４１と第２閉鎖部材４２の概略断面図である。第１閉鎖部材４１と第２閉鎖部材４２は、図３２Ｂの構成を備える。第１調光部１０が第１曲率半径を有し、第２調光部２０が第２曲率半径を有する。第１調光部１０の曲率の向き及び第２調光部２０の曲率の向きは同じである。
【０１２８】
図３３Ｃは、本開示の一実施形態に係る第１閉鎖部材４１と第２閉鎖部材４２の概略断面図である。第１閉鎖部材４１と第２閉鎖部材４２は、図３２Ｃの構成を備える。第１調光部１０が第１曲率半径を有し、第２調光部２０が第２曲率半径を有する。第１調光部１０の曲率の向き及び第２調光部２０の曲率の向きは同じである。
【０１２９】
図３３Ｄは、本開示の一実施形態に係る第１閉鎖部材４１と第２閉鎖部材４２の概略断面図である。第１閉鎖部材４１と第２閉鎖部材４２は、図３２Ｄの構成を備える。第１調光部１０が第１曲率半径を有し、第２調光部２０が第２曲率半径を有する。第１調光部１０の曲率の向き及び第２調光部２０の曲率の向きは同じである。
【０１３０】
図３３Ｅは、本開示の一実施形態に係る第１閉鎖部材４１と第２閉鎖部材４２の概略断面図である。第１閉鎖部材４１と第２閉鎖部材４２は、図３２Ｅの構成を備える。第１調光部１０が第１曲率半径を有し、第２調光部２０が第２曲率半径を有する。第１調光部１０の曲率の向き及び第２調光部２０の曲率の向きは同じである。
【０１３１】
図３３Ｆは、本開示の一実施形態に係る第１閉鎖部材４１と第２閉鎖部材４２の概略断面図である。第１閉鎖部材４１と第２閉鎖部材４２は、図３２Ｆの構成を備える。第１調光部１０が第１曲率半径を有し、第２調光部２０が第２曲率半径を有する。第１調光部１０の曲率の向き及び第２調光部２０の曲率の向きは同じである。
【０１３２】
図３３Ｇは、本開示の一実施形態に係る第１閉鎖部材４１と第２閉鎖部材４２の概略断面図である。第１閉鎖部材４１と第２閉鎖部材４２は、図３２Ｇの構成を備える。第１調光部１０が第１曲率半径を有し、第２調光部２０が第２曲率半径を有する。第１調光部１０の曲率の向き及び第２調光部２０の曲率の向きは同じである。
【０１３３】
なお、図３２Ａ〜図３２Ｇ及び図３３Ａ〜図３３Ｇの構成に対して上記の規制手段が適用されてもよい。例えば、磁石を用いた規制手段の場合、第１閉鎖部材４１と第２閉鎖部材４２の対面する面に磁石が配置される。摩擦部材を用いた規制手段の場合、第１閉鎖部材４１と第２閉鎖部材４２の一方又は両方とこれらと対面する案内レールに摩擦部材が配置されればよい。また、突起部と凹部を用いた規制手段の場合についても、第１閉鎖部材４１と第２閉鎖部材４２の一方又は両方に突起部を設け、これらの対面する案内レールに凹部が設けられればよい。
【０１３４】
図３４は、本開示の一実施形態に係る第１閉鎖部材４１と第２閉鎖部材４２を製造する方法を説明する図である。第１空間Ａ１及び第２空間Ａ２の間にある開口部３には二重窓が配置されている。２重窓は、第１窓部６１及び第２窓部６２を備える。第１窓部６１は、図示省略の第１案内レールに沿って第１方向Ｘに移動可能な第１透明基板１０１を有する。第２窓部６２は、図示省略の第２案内レールに沿って第１方向Ｘに移動可能な第２透明基板２０１有する。図３４（ａ）に示すように、第２空間Ａ２側から第１透明基板１０１に接着層１０８を介して第１調光フィルム１０３を貼り合せることにより、第１調光部１０を備えた第１閉鎖部材４１を作成する。次に、図３４（ｂ）に示すように、第１空間Ａ１側から第２透明基板２０１に接着層２０８を介して第２調光フィルム２０３を貼り合せることにより、第２調光部２０を備えた第２閉鎖部材４２を作成する。これにより、図３４（ｃ）に示すように、第１閉鎖部材４１と第２閉鎖部材４２を製造することができる。図３４の方法によれば、既存の二重窓から、調光機能と開閉機能を備えた調光装置を製造することができる。
【０１３５】
図３５は、本開示の一実施形態に係る第１閉鎖部材４１と第２閉鎖部材４２を製造する方法を説明する図である。第１空間Ａ１及び第２空間Ａ２の間にある開口部３には二重窓が配置されている。２重窓は、第１窓部６１及び第２窓部６２を備える。第１窓部６１は、図示省略の第１案内レールに沿って第１方向Ｘに移動可能な合わせガラスを備える。第１窓部６１は、第１外側透明基板１０１と、第１内側透明基板１０２と、第１外側透明基板１０１と第１内側透明基板１０２との間に配置された中間膜１０４とを有する。第２窓部６２は、図示省略の第２案内レールに沿って第１方向Ｘに移動可能な第２透明基板２０１有する。図３５（ａ）に示すように、第２空間Ａ２側から第１内側透明基板１０２に接着層１０８を介して第１調光フィルム１０３を貼り合せることにより、第１調光部１０を備えた第１閉鎖部材４１を作成する。次に、図３５（ｂ）に示すように、第１空間Ａ１側から第２透明基板２０１に接着層２０８を介して第２調光フィルム２０３を貼り合せることにより、第２調光部２０を備えた第２閉鎖部材４２を作成する。これにより、図３５（ｃ）に示すように、第１閉鎖部材４１と第２閉鎖部材４２を製造することができる。図３５の方法によれば、既存の二重窓（一方の窓が合わせガラス）から、調光機能と開閉機能を備えた調光装置を製造することができる。
【０１３６】
図３６は、本開示の一実施形態に係る第１閉鎖部材４１と第２閉鎖部材４２を製造する方法を説明する図である。開口部３は２重窓を備える。２重窓は、第１窓部６１及び第２窓部６２を備える。第１窓部６１は、図示省略の第１案内レールに沿って第１方向Ｘに移動可能な第１透明基板１０１を有する。第２窓部６２は、図示省略の第２案内レールに沿って第１方向Ｘに移動可能な第２透明基板２０１有する。図３６（ａ）に示すように、第２空間Ａ２側から、第１外側中間膜１０４ａ及び第１内側中間膜１０４ｂを有する第１調光フィルム１０３を第１透明基板１０１に配置し、さらに、第１内側透明基板１０２を押し当てる。そして、第１外側透明基板１０１と第１内側透明基板１０２との間で第１調光フィルム１０３を挟んだ状態で接着工程を実施する。ここでの接着工程は、図２４で説明したものと同様である。これにより、第１調光部１０を備えた第１閉鎖部材４１を作成する。次に、図３６（ｂ）に示すように、第１空間Ａ１側から第２透明基板２０１に接着層２０８を介して第２調光フィルム２０３を貼り合せることにより、第２調光部２０を備えた第２閉鎖部材４２を作成する。これにより、図３６（ｃ）に示すように、本実施形態の第１閉鎖部材４１と第２閉鎖部材４２を製造することができる。図３６の方法によれば、既存の二重窓から、調光機能と開閉機能を備えた調光装置を製造することができる。また、二重窓のそれぞれが一枚のガラスから構成される場合でも、合わせガラス構造を有する調光装置を製造することができる。
【０１３７】
なお、図３４〜図３６において、第２調光部２０は、上述した合わせガラスの構造を備えていてもよい。
【０１３８】
［第３実施形態］
図３７Ａは、本開示の一実施形態に係る建具を示す概略平面図であり、図３７Ｂは、図３７ＡのＩ−Ｉ断面図である。本実施形態は、２つの閉鎖部材を備えており、２つの閉鎖部材が独立して第１方向Ｘに移動可能に構成されている。
【０１３９】
調光装置１は、第１空間Ａ１と第２空間Ａ２とを仕切る、開閉可能な第１閉鎖部材４１及び第２閉鎖部材４２を備える。また、壁部２は、第１閉鎖部材４１及び第２閉鎖部材４２を収容することが可能な収容領域５を有する。第１閉鎖部材４１及び第２閉鎖部材４２は、それぞれ、閉状態と開状態を有する。第１閉鎖部材４１及び第２閉鎖部材４２は、それぞれ、閉状態と開状態を有する。図３７Ａは、第１閉鎖部材４１及び第２閉鎖部材４２の閉状態を示す。第１閉鎖部材４１及び第２閉鎖部材４２を第１方向Ｘに沿って収容領域５から開口部３に向かって移動させることにより閉状態にすることができる。
【０１４０】
図３８Ａ及び図３８Ｂは、第１閉鎖部材４１及び第２閉鎖部材４２の開状態を示す。第１閉鎖部材４１及び第２閉鎖部材４２を第１方向Ｘに沿って開口部３から収容領域５に移動させることにより開状態にすることができる。
【０１４１】
なお、第１閉鎖部材４１及び第２閉鎖部材４２の収容領域及びそれらの移動方向は、図３７Ａ及び図３８Ｂの構成に限定されず、例えば、図２８〜図３１の構成が適用されてもよい。
【０１４２】
図３９Ａは、本開示の一実施形態に係る第１閉鎖部材４１と第２閉鎖部材４２の概略断面図である。第１閉鎖部材４１は、例えばガラスなどの透明部材である。第２閉鎖部材４２は、第１調光部１０と第２調光部２０とを有する。第１調光部１０は、第１透明基板１０１と、第１透明基板１０１上に配置された第１調光フィルム１０３とを有する。また、第２調光部２０は、第２透明基板２０１と、第２透明基板２０１上に配置された第２調光フィルム２０３とを有する。また、第１調光部１０は、第２調光部２０を支持するための支持部材３００を有する。支持部材３００は、上記した構成と同様であり、第１調光部１０の第１辺１０ａに設けられた断面Ｌ字の第１支持部３０１と、第１調光部１０の第２辺１０ｂに設けられた断面Ｌ字の第２支持部３０２とを備える。本実施形態では、第１閉鎖部材４１と第２閉鎖部材４２を独立して移動させることができるが、第２閉鎖部材４２が調光機能を備える。第２閉鎖部材４２の第２調光部２０を第１調光部１０に対して移動させることにより、第１調光フィルム１０３と第２調光フィルム２０３が対面する領域が変化し、透過状態と遮光状態を切替えることができる。
【０１４３】
図３９Ｂは、本開示の一実施形態に係る第１閉鎖部材４１と第２閉鎖部材４２の概略断面図である。第２閉鎖部材４２は、第１調光部１０と第２調光部２０とを有する。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された中間膜１０４と、第１内側透明基板１０２上に配置された第１調光フィルム１０３とを有する。また、第２調光部２０は、第２透明基板２０１と、第２透明基板２０１上に配置された第２調光フィルム２０３とを有する。
【０１４４】
図３９Ｃは、本開示の一実施形態に係る第１閉鎖部材４１と第２閉鎖部材４２の概略断面図である。第２閉鎖部材４２は、第１調光部１０と第２調光部２０とを有する。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された第１調光フィルム１０３と、第１外側透明基板１０１と第１調光フィルム１０３との間に配置された第１外側中間膜１０４ａと、第１内側透明基板１０２と第１調光フィルム１０３との間に配置された第１内側中間膜１０４ｂとを有する。第２調光部２０が、第２透明基板２０１と、第２透明基板２０１上に配置された第２調光フィルム２０３とを有する。
【０１４５】
図３９Ｄは、本開示の一実施形態に係る第１閉鎖部材４１と第２閉鎖部材４２の概略断面図である。第２閉鎖部材４２は、第１調光部１０と第２調光部２０とを有する。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された中間膜１０４と、第１内側透明基板１０２上に配置された第１調光フィルム１０３とを有する。また、第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された中間膜２０４と、第２内側透明基板２０２上に配置された第２調光フィルム２０３とを有する。
【０１４６】
図３９Ｅは、本開示の一実施形態に係る第１閉鎖部材４１と第２閉鎖部材４２の概略断面図である。第２閉鎖部材４２は、第１調光部１０と第２調光部２０とを有する。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された第１調光フィルム１０３と、第１外側透明基板１０１と第１調光フィルム１０３との間に配置された第１外側中間膜１０４ａと、第１内側透明基板１０２と第１調光フィルム１０３との間に配置された第１内側中間膜１０４ｂとを有する。また、第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された第２調光フィルム２０３と、第２外側透明基板２０１と第２調光フィルム２０３との間に配置された第２外側中間膜２０４ａと、第２内側透明基板２０２と第２調光フィルム２０３との間に配置された第２内側中間膜２０４ｂとを有する。
【０１４７】
図３９Ｆは、本開示の一実施形態に係る第１閉鎖部材４１と第２閉鎖部材４２の概略断面図である。第２閉鎖部材４２は、第１調光部１０と第２調光部２０とを有する。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された中間膜１０４と、第１内側透明基板１０２上に配置された第１調光フィルム１０３とを有する。また、第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された第２調光フィルム２０３と、第２外側透明基板２０１と第２調光フィルム２０３との間に配置された第２外側中間膜２０４ａと、第２内側透明基板２０２と第２調光フィルム２０３との間に配置された第２内側中間膜２０４ｂとを有する。
【０１４８】
図３９Ｇは、本開示の一実施形態に係る第１閉鎖部材４１と第２閉鎖部材４２の概略断面図である。第２閉鎖部材４２は、第１調光部１０と第２調光部２０とを有する。第１調光部１０が、第１外側透明基板１０１と、第１外側透明基板１０１よりも第２調光部２０に近い側に位置する第１内側透明基板１０２と、第１外側透明基板１０１と第１内側透明基板１０２との間に配置された第１調光フィルム１０３と、第１外側透明基板１０１と第１調光フィルム１０３との間に配置された第１外側中間膜１０４ａと、第１内側透明基板１０２と第１調光フィルム１０３との間に配置された第１内側中間膜１０４ｂとを有する。また、第２調光部２０が、第２外側透明基板２０１と、第２外側透明基板２０１よりも第１調光部１０に近い側に位置する第２内側透明基板２０２と、第２外側透明基板２０１と第２内側透明基板２０２との間に配置された中間膜２０４と、第２内側透明基板２０２上に配置された第２調光フィルム２０３とを有する。
【０１４９】
図４０Ａ〜図４０Ｇは、図３９Ａ〜図３９Ｇの第１閉鎖部材４１と第２閉鎖部材４２が所定の曲率で曲がっている構成を示す。
【０１５０】
図４０Ａは、本開示の一実施形態に係る第１閉鎖部材４１と第２閉鎖部材４２の概略断面図である。第１閉鎖部材４１と第２閉鎖部材４２は、図３９Ａの構成を備える。第１閉鎖部材４１が所定の曲率半径を有する。第２閉鎖部材４２においては、第１調光部１０が第１曲率半径を有し、第２調光部２０が第２曲率半径を有する。第１閉鎖部材４１の曲率の向き、第１調光部１０の曲率の向き及び第２調光部２０の曲率の向きは同じである。
【０１５１】
図４０Ｂは、本開示の一実施形態に係る第１閉鎖部材４１と第２閉鎖部材４２の概略断面図である。第１閉鎖部材４１と第２閉鎖部材４２は、図３９Ｂの構成を備える。第１閉鎖部材４１が所定の曲率半径を有する。第２閉鎖部材４２においては、第１調光部１０が第１曲率半径を有し、第２調光部２０が第２曲率半径を有する。第１閉鎖部材４１の曲率の向き、第１調光部１０の曲率の向き及び第２調光部２０の曲率の向きは同じである。
【０１５２】
図４０Ｃは、本開示の一実施形態に係る第１閉鎖部材４１と第２閉鎖部材４２の概略断面図である。第１閉鎖部材４１と第２閉鎖部材４２は、図３９Ｃの構成を備える。第１閉鎖部材４１が所定の曲率半径を有する。第２閉鎖部材４２においては、第１調光部１０が第１曲率半径を有し、第２調光部２０が第２曲率半径を有する。第１閉鎖部材４１の曲率の向き、第１調光部１０の曲率の向き及び第２調光部２０の曲率の向きは同じである。
【０１５３】
図４０Ｄは、本開示の一実施形態に係る第１閉鎖部材４１と第２閉鎖部材４２の概略断面図である。第１閉鎖部材４１と第２閉鎖部材４２は、図３９Ｄの構成を備える。第１閉鎖部材４１が所定の曲率半径を有する。第２閉鎖部材４２においては、第１調光部１０が第１曲率半径を有し、第２調光部２０が第２曲率半径を有する。第１閉鎖部材４１の曲率の向き、第１調光部１０の曲率の向き及び第２調光部２０の曲率の向きは同じである。
【０１５４】
図４０Ｅは、本開示の一実施形態に係る第１閉鎖部材４１と第２閉鎖部材４２の概略断面図である。第１閉鎖部材４１と第２閉鎖部材４２は、図３９Ｅの構成を備える。第１閉鎖部材４１が所定の曲率半径を有する。第２閉鎖部材４２においては、第１調光部１０が第１曲率半径を有し、第２調光部２０が第２曲率半径を有する。第１閉鎖部材４１の曲率の向き、第１調光部１０の曲率の向き及び第２調光部２０の曲率の向きは同じである。
【０１５５】
図４０Ｆは、本開示の一実施形態に係る第１閉鎖部材４１と第２閉鎖部材４２の概略断面図である。第１閉鎖部材４１と第２閉鎖部材４２は、図３９Ｆの構成を備える。第１閉鎖部材４１が所定の曲率半径を有する。第２閉鎖部材４２においては、第１調光部１０が第１曲率半径を有し、第２調光部２０が第２曲率半径を有する。第１閉鎖部材４１の曲率の向き、第１調光部１０の曲率の向き及び第２調光部２０の曲率の向きは同じである。
【０１５６】
図４０Ｇは、本開示の一実施形態に係る第１閉鎖部材４１と第２閉鎖部材４２の概略断面図である。第１閉鎖部材４１と第２閉鎖部材４２は、図３９Ｇの構成を備える。第１閉鎖部材４１が所定の曲率半径を有する。第２閉鎖部材４２においては、第１調光部１０が第１曲率半径を有し、第２調光部２０が第２曲率半径を有する。第１閉鎖部材４１の曲率の向き、第１調光部１０の曲率の向き及び第２調光部２０の曲率の向きは同じである。
【０１５７】
図４１は、本開示の一実施形態に係る第１閉鎖部材４１と第２閉鎖部材４２を製造する方法を説明する図である。第１空間Ａ１及び第２空間Ａ２の間にある開口部３に窓部６０が配置されている。窓部６０は、第１閉鎖部材４１を有する。第１閉鎖部材４１は第１方向Ｘに開閉可能に構成されている。図４１（ａ）に示すように、窓部６０に隣接して第１方向Ｘに沿って案内レール７０を設置する。次に、図４１（ｂ）に示すように、案内レール７０に、第１調光部１０と第２調光部２０とを備える第２閉鎖部材４２を設置する。これにより、第２閉鎖部材４２は、案内レール７０に沿って第１方向Ｘに移動可能となる。図４１の方法によれば、既存の窓から、本実施形態の第１閉鎖部材４１と第２閉鎖部材４２を製造することができる。なお、図４１において、第１調光部１０及び第２調光部２０が上述の合わせガラスで構成されていてもよい。
【０１５８】
次に、第２調光部２０を第１調光部１０に対して移動させるための取っ手構造について説明する。以下で説明する構造は、上述の第１実施形態〜第３実施形態に適用可能である。また、第２実施形態のように第１調光部１０と第２調光部２０が独立して移動する場合には、第１調光部１０に以下の取っ手構造が適用されてもよい。
【０１５９】
図４２Ａは、本開示の一実施形態に係る第２調光部２０の取っ手構造であり、図４２Ｂは、図４２ＡのＩ−Ｉ線断面図である。第２調光部２０の表面は凹部６０１を備えていてもよい。ユーザは、凹部６０１に指を入れて第１方向Ｘに第２調光部２０を移動させることができる。また、凹部６０１によって取っ手が構成されているため、壁部２に設けられた収容領域５に第２調光部２０が収容される際に取っ手構造が緩衝することがない。
【０１６０】
図４３Ａは、本開示の一実施形態に係る第２調光部２０の取っ手構造であり、図４３Ｂは、図４３ＡのＩ−Ｉ線断面図である。第２調光部２０の表面には摩擦性の大きい材料が配置されもよい。例えば、摩擦テープ６０２が第２調光部２０の表面に貼り付けられていてもよい。ユーザは、摩擦テープ６０２に指を引っ掛けて第１方向Ｘに第２調光部２０を移動させることができる。また、摩擦テープ６０２は厚みが小さいため、壁部２に設けられた収容領域５に第２調光部２０が収容される際に取っ手構造が緩衝することがない。なお、当該構成は、テープに限定されない。第２調光部２０の表面とは異なる材料であって、摩擦性の大きい材料の層が、第２調光部２０の表面に部分的に配置されてもよい。
【０１６１】
図４４Ａは、本開示の一実施形態に係る第２調光部２０の取っ手構造であり、図４４Ｂは、図４４ＡのＩ−Ｉ線断面図である。取っ手構造６０３は、持ち手となる第１部分６０３ａと、弾性部材である第２部分６０３ｂとを有する。第１部分６０３ａは、収容領域５側（図４５Ａ及び図４５Ｂ参照）の厚みが小さくなるようにテーパ部を有する。第２部分６０３ｂは、例えばバネである。
【０１６２】
図４５Ａ及び図４５Ｂは、図４４Ａ及び図４４Ｂの構成を有する調光装置を収容領域５に移動させた様子を示す。図４５Ｂに示すように、取っ手構造６０３の第１部分６０３ａが収容領域５の内壁５ａに接触すると、バネである第２部分６０３ｂが縮んで取っ手構造６０３の全体の高さが低くなる。これにより、取っ手構造が緩衝することなくスムーズに調光装置を収容領域５内に収容することができる。
【０１６３】
図４６Ａは、本開示の一実施形態に係る第２調光部２０の取っ手構造であり、図４６Ｂは、図４６ＡのＩ−Ｉ線断面図である。第２調光部２０の表面には取っ手６０４が配置されている。ユーザは、取っ手６０４を持って第１方向Ｘに第２調光部２０を移動させることができる。
【０１６４】
図４７Ａ及び図４７Ｂは、図４６Ａ及び図４６Ｂの構成を有する調光装置を収容領域５に移動させた様子を示す。この構成では、収容領域５の内壁５ａに凹部５ｂが設けられており、取っ手６０４が凹部５ｂに収容される。この構成によれば、取っ手構造が緩衝することなく調光装置をスムーズに収容領域５へ収容することができる。
【０１６５】
上述の調光装置は、住宅又は施設、移動体（例えば、車両、船舶、航空機）などに適用することができる。上述の調光装置は、住宅用窓やパーテション等のように、第１調光部１０及び第２調光部２０が地面に対し垂直ないし斜めに配置されるように構成されていてもよい。また、上述の調光装置は、住宅用天窓や自動車のサンルーフ等のように、第１調光部１０及び第２調光部２０が地面に対し斜めないし平行に配置されるように構成されていてもよい。
【０１６６】
なお、本開示は上述した実施形態に限定されるものではなく、他の様々な変形例が含まれる。例えば、上述した実施形態は本開示を分かりやすく説明するために詳細に説明したものであり、必ずしも説明した全ての構成を備えるものに限定されるものではない。また、ある実施形態の構成の一部を他の実施形態の構成に置き換えることがあり、また、ある実施形態の構成に他の実施形態の構成を加えることも可能である。また、各実施形態の構成の一部について、他の構成の追加・削除・置換をすることが可能である。
【符号の説明】
【０１６７】
１          …調光装置
２          …壁部
３          …開口部
４          …閉鎖部材
５          …収容領域
１０        …第１調光部
１１        …第１調光領域
２０        …第２調光部
２１        …第２調光領域
４１        …第１閉鎖部材
４２        …第２閉鎖部材
１０１、１０２      …透明基板
１０３      …第１調光フィルム
１０４      …中間膜
１０５      …第１偏光層
１０６      …第１位相差層
２０１、２０２      …透明基板
２０３      …第２調光フィルム
２０４      …中間膜
２０５      …第２偏光層
２０６      …第２位相差層
【図１Ａ】
2018185497.tif 000003
【図１Ｂ】
2018185497.tif 000004
【図２Ａ】
2018185497.tif 000005
【図２Ｂ】
2018185497.tif 000006
【図３】
2018185497.tif 000007
【図４】
2018185497.tif 000008
【図５】
2018185497.tif 000009
【図６】
2018185497.tif 000010
【図７】
2018185497.tif 000011
【図８】
2018185497.tif 000012
【図９】
2018185497.tif 000013
【図１０Ａ】
2018185497.tif 000014
【図１０Ｂ】
2018185497.tif 000015
【図１１Ａ】
2018185497.tif 000016
【図１１Ｂ】
2018185497.tif 000017
【図１２】
2018185497.tif 000018
【図１３】
2018185497.tif 000019
【図１４】
2018185497.tif 000020
【図１５Ａ】
2018185497.tif 000021
【図１５Ｂ】
2018185497.tif 000022
【図１５Ｃ】
2018185497.tif 000023
【図１６Ａ】
2018185497.tif 000024
【図１６Ｂ】
2018185497.tif 000025
【図１６Ｃ】
2018185497.tif 000026
【図１７Ａ】
2018185497.tif 000027
【図１７Ｂ】
2018185497.tif 000028
【図１７Ｃ】
2018185497.tif 000029
【図１８Ａ】
2018185497.tif 000030
【図１８Ｂ】
2018185497.tif 000031
【図１８Ｃ】
2018185497.tif 000032
【図１８Ｄ】
2018185497.tif 000033
【図１８Ｅ】
2018185497.tif 000034
【図１８Ｆ】
2018185497.tif 000035
【図１９】
2018185497.tif 000036
【図２０】
2018185497.tif 000037
【図２１Ａ】
2018185497.tif 000038
【図２１Ｂ】
2018185497.tif 000039
【図２１Ｃ】
2018185497.tif 000040
【図２１Ｄ】
2018185497.tif 000041
【図２１Ｅ】
2018185497.tif 000042
【図２１Ｆ】
2018185497.tif 000043
【図２２】
2018185497.tif 000044
【図２３】
2018185497.tif 000045
【図２４】
2018185497.tif 000046
【図２５Ａ】
2018185497.tif 000047
【図２５Ｂ】
2018185497.tif 000048
【図２６Ａ】
2018185497.tif 000049
【図２６Ｂ】
2018185497.tif 000050
【図２７Ａ】
2018185497.tif 000051
【図２７Ｂ】
2018185497.tif 000052
【図２８】
2018185497.tif 000053
【図２９】
2018185497.tif 000054
【図３０】
2018185497.tif 000055
【図３１】
2018185497.tif 000056
【図３２Ａ】
2018185497.tif 000057
【図３２Ｂ】
2018185497.tif 000058
【図３２Ｃ】
2018185497.tif 000059
【図３２Ｄ】
2018185497.tif 000060
【図３２Ｅ】
2018185497.tif 000061
【図３２Ｆ】
2018185497.tif 000062
【図３２Ｇ】
2018185497.tif 000063
【図３３Ａ】
2018185497.tif 000064
【図３３Ｂ】
2018185497.tif 000065
【図３３Ｃ】
2018185497.tif 000066
【図３３Ｄ】
2018185497.tif 000067
【図３３Ｅ】
2018185497.tif 000068
【図３３Ｆ】
2018185497.tif 000069
【図３３Ｇ】
2018185497.tif 000070
【図３４】
2018185497.tif 000071
【図３５】
2018185497.tif 000072
【図３６】
2018185497.tif 000073
【図３７Ａ】
2018185497.tif 000074
【図３７Ｂ】
2018185497.tif 000075
【図３８Ａ】
2018185497.tif 000076
【図３８Ｂ】
2018185497.tif 000077
【図３９Ａ】
2018185497.tif 000078
【図３９Ｂ】
2018185497.tif 000079
【図３９Ｃ】
2018185497.tif 000080
【図３９Ｄ】
2018185497.tif 000081
【図３９Ｅ】
2018185497.tif 000082
【図３９Ｆ】
2018185497.tif 000083
【図３９Ｇ】
2018185497.tif 000084
【図４０Ａ】
2018185497.tif 000085
【図４０Ｂ】
2018185497.tif 000086
【図４０Ｃ】
2018185497.tif 000087
【図４０Ｄ】
2018185497.tif 000088
【図４０Ｅ】
2018185497.tif 000089
【図４０Ｆ】
2018185497.tif 000090
【図４０Ｇ】
2018185497.tif 000091
【図４１】
2018185497.tif 000092
【図４２Ａ】
2018185497.tif 000093
【図４２Ｂ】
2018185497.tif 000094
【図４３Ａ】
2018185497.tif 000095
【図４３Ｂ】
2018185497.tif 000096
【図４４Ａ】
2018185497.tif 000097
【図４４Ｂ】
2018185497.tif 000098
【図４５Ａ】
2018185497.tif 000099
【図４５Ｂ】
2018185497.tif 000100
【図４６Ａ】
2018185497.tif 000101
【図４６Ｂ】
2018185497.tif 000102
【図４７Ａ】
2018185497.tif 000103
【図４７Ｂ】
2018185497.tif 000104